(57)【特許請求の範囲】
【請求項１】
布地ケア組成物であって、
ａ）以下の式（Ｉ）の構造を有するオルガノシロキサンポリマーからなる群から選択される０．０１重量％〜２０重量％のオルガノシロキサンポリマーであって、
【化１】
0006532957.tif 000034
式中、
（ｉ）各Ｘが、
【化２】
0006532957.tif 000035
及びこれらの組み合わせからなる群から独立して選択され、
（ｉｉ）各Ｌが、結合している二価のアルキレンラジカルであるか、又は
【化４】
0006532957.tif 000036
及びこれらの組み合わせからなる群から独立して選択され、
（ｉｉｉ）各Ｒが、Ｈ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、−ＯＲ２、及びこれらの組み合わせからなる群から独立して選択され、
（ｉｖ）各Ｒ１が、Ｈ、Ｃ１〜Ｃ８アルキル又は置換アルキル、及びこれらの組み合わせからなる群から独立して選択され、
（ｖ）各Ｒ２が、Ｈ、Ｃ１〜Ｃ４アルキル、置換アルキル、アリール、置換アリール、及びこれらの組み合わせからなる群から独立して選択され、
（ｖｉ）各Ｒ３が、二価のラジカルであり、２〜３０の炭素原子を有する芳香族、脂肪族、及び環式脂肪族ラジカル、並びにこれらの組み合わせからなる群から独立して選択され、
（ｖｉｉ）各Ｒ５が、−ＯＲ６および
【化５】
0006532957.tif 000037
からなる群から独立して選択され、
式中、各Ｒ６が、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から独立して選択され、各Ｒ７がＨ、またはＣ１〜Ｃ３２アルキルから独立して選択され、
（ｖｉｉｉ）ｐが、２〜１０００の整数であり、
（ｉｘ）ｓが、１〜８３の整数であり、
（ｘ）ｙが、０〜５０の整数であり、
（ｘｉ）ｎが、１〜５０の整数であり、
（ｘｉｉ）ｋが、０〜１００から選択される整数であり、
（ｘｉｉｉ）各Ｗが、Ｃ１〜Ｃ２００アルキレンラジカルであって、前記Ｃ１〜Ｃ２００鎖を分断する少なくとも１つのヘテロ原子を任意に含むＣ１〜Ｃ２００アルキレンラジカル、又は置換Ｃ１〜Ｃ２００アルキレンラジカルであって、前記Ｃ１〜Ｃ２００鎖を分断する少なくとも１つのヘテロ原子及び／若しくは任意に前記置換基を分断する少なくとも１つのヘテロ原子を任意に含む置換Ｃ１〜Ｃ２００アルキレンラジカルからなる群から独立して選択され、
（ｘｉｖ）Ｙが、式
【化８】
0006532957.tif 000038
を有し、
（ｘｖ）Ｚが、式
【化９】
0006532957.tif 000039
を有する、オルガノシロキサンポリマーと、
ｂ）アニオン性、カチオン性、両性、非イオン界面活性剤、及びこれらの組み合わせからなる群から選択される、前記組成物の０．１重量％〜５０重量％の界面活性剤と、
ｃ）任意に、アルデヒド及び／又はケトン基を含む材料と、
を含む、布地ケア組成物。
【請求項２】
アルデヒド及び／又はケトン基を含む前記材料が、前記組成物の０．０００１重量％〜２重量％の量で存在する、請求項１に記載の布地ケア組成物。
【請求項３】
前記界面活性剤が、直鎖又は分岐鎖アルキルベンゼンスルホネート、アルキルスルフェート、アルキルエトキシスルフェート、アルキルエトキシレート、アルキルグリセリルスルホネート、第四級アンモニウム界面活性剤、エステル第四級アンモニウム化合物、及びこれらの混合物からなる群から選択される、請求項１又は２に記載の布地ケア組成物。
【請求項４】
前記組成物が、送達増強剤、蛍光増白剤、酵素、レオロジー改質剤、ビルダー、及びこれらの混合物からなる群から選択される補助剤を含む、請求項１〜３のいずれか一項に記載の布地ケア組成物。
【請求項５】
前記組成物が、送達増強剤を含む、請求項１〜４のいずれか一項に記載の布地ケア組成物。
【請求項６】
前記送達増強剤が、０．０５ｍｅｑ／ｇ〜２３ｍｅｑ／ｇの正味陽イオン電荷密度を有する陽イオン性ポリマーである、請求項１〜５のいずれか一項に記載の布地ケア組成物。
【請求項７】
前記オルガノシロキサンポリマーが、０．３ｍｅｑ．／ｇ未満の第一級又は第二級アミノ基を含む、請求項１〜６のいずれか一項に記載の布地ケア組成物。
【請求項８】
前記組成物が、０．０１重量％〜０．３重量％の安定剤を含む、請求項１〜７のいずれか一項に記載の布地ケア組成物。
【請求項９】
前記安定剤が、結晶質ヒドロキシル含有安定剤である、請求項１〜８のいずれか一項に記載の布地ケア組成物。
【請求項１０】
前記組成物が、すすぎ時添加型組成物の形態である、請求項１〜９のいずれか一項に記載の布地ケア組成物。
【請求項１１】
前記組成物が、洗濯洗剤である、請求項１〜１０のいずれか一項に記載の布地ケア組成物。
【請求項１２】
布地に利益を提供する方法であって、前記布地を請求項１〜１１のいずれか一項に記載の布地ケア組成物と接触させることを含む、方法。
【請求項１３】
前記組成物の１重量％〜４９重量％の布地の柔軟化に好適な第四級アンモニウム化合物と、０．１％〜３％の香料と、を更に含む、請求項１〜１１のいずれか一項に記載の組成物。
【発明の詳細な説明】
【技術分野】
【０００１】
本開示は、フィット保持ポリマーを含む組成物及びシステム、並びにその製造方法及び使用方法に関する。
【背景技術】
【０００２】
衣類などの布地が着用される場合、こうした布地は、例えば、着用者による毎日の動作により発生する衣類の繊維上への応力及び歪みにより、その形状が失われることがある。その結果、衣類の「フィット」が失われ、衣類の外観並びに快適性が失われる。この問題を軽減するためには、スパンデックス（エラステーン）などの繊維を特定の衣類に取り込ませ、かつ／又は衣類の織り目を変えることができる。残念なことに、こうした解決法は、通常、衣類のコストが増大し、こうした衣類中に使用される繊維が製造される場合、繊維工場で実施する必要がある。このため、こうした解決法が開始時から実行されない場合、その後にこうした「フィット」問題を解決することができない。出願人は、潤滑が不十分な繊維は、その形状の保持が困難であるため、布地潤滑剤が欠如していることが、フィット問題の原因であった点を認めている。その結果、対象の衣類のフィットが損なわれた。このため、出願人は、本明細書において、布地の寿命中いつでも実施され得る「フィット」問題に対する解決法を提供する。こうした解決法では、以下の属性の１つ又は２つ以上を有するオルガノシロキサンポリマーを用いる：低価格、合成の容易さ、少ない黄変、レオロジー特性を調整できる分岐状エンドキャップ、及び完全なｐＨ範囲にわたる電荷不変性。
【発明の概要】
【課題を解決するための手段】
【０００３】
本開示は、フィット保持ポリマーを含む組成物及びシステム、並びにその製造方法及び使用方法に関する。布地を布地ケア組成物と接触させることを含む、このような組成物の使用方法も開示される。
【発明を実施するための形態】
【０００４】
本明細書において使用する場合、特許請求の範囲で使用される場合、冠詞「ａ」及び「ａｎ」は、特許請求又は記載されているもののうちの１つ又は２つ以上を意味すると理解される。
【０００５】
本明細書において使用する場合、「含む」という用語は、本開示の組成物の調製において共に使用される種々の構成成分を意味する。それゆえに、「本質的に〜からなる」及び「〜からなる」という用語は、「含む」という用語に含まれる。
【０００６】
本明細書において使用する場合、「布地ケア組成物」は、手洗い又は機械洗浄のための組成物、添加剤組成物、染みの付いた布地の浸漬及び／又は前処理に使用するのに好適な組成物、すすぎ時添加組成物、スプレー及びアイロン助剤を包含する。布地ケア組成物は、例えば液体及び顆粒状洗濯洗剤、布地コンディショナ、シートなどのその他の洗浄時、すすぎ時、乾燥時添加製品、並びにスプレー型、カプセル型及び／若しくは単位投与型組成物、アイロン助剤、乾燥した布地上に使用するための布地スプレー、又は共に分配させる２つ若しくは３つ以上の別個の相を含む組成物などの形態を採り得る。液体形態の布地ケア組成物は、一般的に水性キャリア中に存在し、かつ一般的には約１〜約２０００センチポアズ（１〜２０００ｍＰａ＊ｓ）、又は約２００〜約８００センチポアズ（２００〜８００ｍＰａ＊ｓ）の粘度を有する。粘度は、当該技術分野において既知の従来の方法により測定することができる。用語はまた、約５０％未満又は約３０％未満又は約２０％未満で水又はその他のキャリアを含有するような、低含水量の処方又は濃縮処方も包含する。
【０００７】
本明細書において使用する場合、「置換された」という用語は、−Ｈを例えば、ヒドロキシル、アミン、芳香族、アルコキシ、カルボキシレート、ホスフェート、又はスルフェートなどの化学的に許容可能な部分に置き換えることを示す。
【０００８】
本明細書において使用する場合、「含む（include）」、「含む（includes）」、及び「含んでいる（including）」という用語は、非限定的であることを意味する。
【０００９】
特に明記されない限り、構成成分又は組成物のレベルはすべて、該構成成分又は組成物の活性部分に関するものであり、このような構成成分又は組成物の市販の供給源に存在し得る不純物、例えば、残留溶媒又は副生成物は除外される。
【００１０】
本明細書の全体を通じて与えられるすべての最大数値限定は、それよりも小さいすべての数値限定を、そのようなより小さい数値限定が恰も本明細書に明確に記載されているかのように、包含するものと理解すべきである。本明細書の全体を通じて与えられるすべての最小数値限定は、それよりも大きいすべての数値限定を、そのようなより大きい数値限定が恰も本明細書に明示的に記載されているかのように、包含するものとする。本明細書の全体を通じて与えられるすべての数値範囲は、そのようなより広い数値範囲内に含まれるすべてのより狭い数値範囲を、そのようなより狭い数値範囲が恰もすべて本明細書に明示的に記載されているかのように、包含するものとする。
【００１１】
組成物
布地ケア組成物であって、
ａ）以下の式（Ｉ）の構造を有するオルガノシロキサンポリマーからなる群から選択される約０．０１重量％〜約２０重量％、好ましくは、約０．５重量％〜約１０重量％、より好ましくは、約３重量％〜約７重量％のオルガノシロキサンポリマーであって、
【００１２】
【化１】
0006532957.tif 000002
式中、
（ｉ）各Ｘは、
【００１３】
【化２】
0006532957.tif 000003
及びこれらの組み合わせからなる群から独立して選択され、好ましくは、各Ｘは、
【００１４】
【化３】
0006532957.tif 000004
及びこれらの組み合わせからなる群から独立して選択され、
（ｉｉ）各Ｌは、結合している二価のアルキレンラジカルであるか、又は
【００１５】
【化４】
0006532957.tif 000005
及びこれらの組み合わせからなる群から独立して選択され、好ましくは、各Ｌは−（ＣＨ２）ｓ−であり、
（ｉｉｉ）各Ｒは、Ｈ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、−ＯＲ２及びこれらの組み合わせからなる群から独立して選択され、好ましくは、各ＲはＣ１〜Ｃ２０アルキルであり、
（ｉｖ）各Ｒ１は、Ｈ、Ｃ１〜Ｃ８アルキル又は置換アルキル及びこれらの組み合わせからなる群から独立して選択され、好ましくは、各Ｒ１は、Ｈ、及びＣ１〜Ｃ８アルキルからなる群から独立して選択され、より好ましくは、各Ｒ１はＨであり、
（ｖ）各Ｒ２は、Ｈ、Ｃ１〜Ｃ４アルキル、置換アルキル、アリール、置換アリール、及びこれらの組み合わせからなる群から独立して選択され、好ましくは、各Ｒ２は、Ｈ及びＣ１〜Ｃ４アルキルからなる群から独立して選択され、より好ましくは、各Ｒ２はＨであり、
（ｖｉ）各Ｒ３は、二価のラジカルであり、２〜３０の炭素原子を有する芳香族、脂肪族、及び環式脂肪族ラジカル及びこれらの組み合わせからなる群から独立して選択され、
（ｖｉｉ）各Ｒ５は、−ＯＲ６からなる群から独立して選択され、
【００１６】
【化５】
0006532957.tif 000006
式中、各Ｒ６は、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から独立して選択され、好ましくは、各Ｒ６は、Ｃ１〜Ｃ３２アルキルであり、各Ｒ７はＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から独立して選択され、好ましくは、各Ｒ７はＣ１〜Ｃ３２アルキルであり、
（ｖｉｉｉ）ｐは、約２〜約１０００の整数であり、好ましくは、ｐは、約１０〜約５００の整数であり、より好ましくは、ｐは、約５０〜約３００の整数であり、
（ｉｘ）ｓは、約１〜約８３の整数であり、好ましくは、ｓは、約２〜約８３の整数であり、より好ましくは、ｓは、約２〜約１０の整数であり、最も好ましくは、ｓは、約２〜約５の整数であり、
（ｘ）ｙは、約０〜約５０の整数であり、好ましくは、ｙは、約１〜約１０の整数であり、より好ましくは、ｙは、約１〜約５の整数であり、
（ｘｉ）ｎは、約１〜約５０の整数であり、好ましくは、ｎは、約１〜約１０の整数であり、より好ましくは、ｎは、約１〜約５の整数であり、
（ｘｉｉ）ｋは、０〜約１００から選択される整数であり、好ましくは、ｋは、約０〜約５０の整数であり、より好ましくは、ｋは、約０〜約２０の整数であり、
（ｘｉｉｉ）各Ｗは、Ｃ１〜Ｃ２００アルキレンラジカルであって、Ｃ１〜Ｃ２００鎖を分断する少なくとも１つのヘテロ原子を任意に含むＣ１〜Ｃ２００アルキレンラジカル、又は置換Ｃ１〜Ｃ２００アルキレンラジカルであって、Ｃ１〜Ｃ２００鎖を分断する少なくとも１つのヘテロ原子及び／若しくは任意に置換基を分断する少なくとも１つのヘテロ原子を任意に含む置換Ｃ１〜Ｃ２００アルキレンラジカルからなる群から独立して選択され、好ましくは、各Ｗは、Ｃ１〜Ｃ１００アルキレンラジカルであって、Ｃ１〜Ｃ１００鎖を分断する少なくとも１つのヘテロ原子を任意に含むＣ１〜Ｃ１００アルキレンラジカル、又は置換Ｃ１〜Ｃ１００アルキレンラジカルであって、Ｃ１〜Ｃ１００鎖を分断する少なくとも１つのヘテロ原子及び／若しくは任意に置換基を分断する少なくとも１つのヘテロ原子を任意に含む置換Ｃ１〜Ｃ１００アルキレンラジカルからなる群から独立して選択され、好ましくは、Ｃ１〜Ｃ１００鎖は少なくとも１つのヘテロ原子によって分断され、より好ましくは、各Ｗは、置換Ｃ１〜Ｃ１０アルキレンラジカルであって、任意にＣ１〜Ｃ１０鎖を分断する少なくとも１つのヘテロ原子、及び／又は任意に置換基を分断する少なくとも１つのヘテロ原子を含む、置換Ｃ１〜Ｃ１０アルキレンラジカルから独立して選択され、好ましくは、各Ｗは、
【００１７】
【化６】
0006532957.tif 000007
からなる群から独立して選択され、式中、
【００１８】
【化７】
0006532957.tif 000008
に対して、Ｒ２及びｙは前述のとおりであり、
（ｘｉｖ）Ｙは、式
【００１９】
【化８】
0006532957.tif 000009
を有し、若しくは
（ｘｖ）Ｚは、式
【００２０】
【化９】
0006532957.tif 000010
を有する、オルガノシロキサンポリマーと、
ｂ）アニオン性、カチオン性、両性、非イオン界面活性剤及びこれらの組み合わせからなる群から選択される組成物の約０．１重量％〜約５０重量％の界面活性剤と、
ｃ）任意に、アルデヒド及び／又はケトン基を含有する材料と、を含む布地ケア組成物が開示される。
【００２１】
布地ケア組成物の一態様では、アルデヒド及び／又はケトン基を含有する材料は、組成物の約０．０００１重量％〜約２重量％の量で存在する。
【００２２】
布地ケア組成物の一態様では、界面活性剤は、直鎖又は分岐鎖アルキルベンゼンスルホネート、アルキルスルフェート、アルキルエトキシスルフェート、アルキルエトキシレート、アルキルグリセリルスルホネート、第四級アンモニウム界面活性剤、エステル第四級アンモニウム化合物、及びこれらの混合物から選択される。
【００２３】
布地ケア組成物の一態様では、本組成物は、送達増強剤、蛍光増白剤、酵素、レオロジー改質剤、ビルダー、及びこれらの混合物からなる群から選択される補助剤を含む。
【００２４】
布地ケア組成物の一態様では、本組成物は、送達増強剤を含む。
【００２５】
布地ケア組成物の一態様では、送達増強剤は、約０．０５ｍｅｑ／ｇ〜約２３ｍｅｑ／ｇの正味陽イオン電荷密度を有する陽イオン性ポリマーである。
【００２６】
布地ケア組成物の一態様では、オルガノシロキサンポリマーは、０．３ｍｅｑ．／ｇ未満の第一級又は第二級アミノ基、好ましくは、０．１ｍｅｑ．／ｇ未満の第一級又は第二級アミノ基、より好ましくは、０．０１ｍｅｑ．／ｇ未満の第一級又は第二級アミノ基を含み、最も好ましくは、オルガノシロキサンポリマーは、０ｍｅｑ．／ｇの第一級又は第二級アミノ基を含む。
【００２７】
布地ケア組成物の一態様では、本組成物は、０．０１重量％〜約０．３重量％の安定剤を含む。
【００２８】
布地ケア組成物の一態様では、安定剤は、結晶性ヒドロキシル含有安定剤である。
【００２９】
布地ケア組成物の一態様では、本組成物は、すすぎ時添加型組成物の形態である。
【００３０】
布地ケア組成物の一態様では、本組成物は、洗濯洗剤である。
【００３１】
布地ケア組成物の一態様では、本組成物は、布地の柔軟化に好適な１重量％〜４９重量％の第四級アンモニウム化合物を含む。
【００３２】
布地ケア組成物の一態様では、本組成物は、布地の柔軟化に好適な１重量％〜４９重量％の第四級アンモニウム化合物及び０．１％〜３％の香料を含む。
【００３３】
第１の好ましい種類の布地柔軟化活性物質は、主な活性物質として、次式の化合物を含む：
｛Ｒ４−ｍ−Ｎ＋−［（ＣＨ２）ｎ−Ｙ−Ｒ１］ｍ｝Ｘ−        （１）
式中、各Ｒ置換基は、水素、短鎖Ｃ１〜Ｃ６、好ましくは、Ｃ１〜Ｃ３アルキル又はヒドロキシアルキル基、例えば、メチル、エチル、プロピル、ヒドロキシエチル、及び同様物、ポリ（Ｃ２〜３アルコキシ）、好ましくは、ポリエトキシ、ベンジル、又はこれらの混合物のいずれかであり、各ｍは、２又は３であり；各ｎは、１〜約４であり、好ましくは、２であり；各Ｙは、−Ｏ−（Ｏ）Ｃ−、−Ｃ（Ｏ）−Ｏ−、−ＮＲ−Ｃ（Ｏ）−、又は−Ｃ（Ｏ）−ＮＲ−であり；各Ｒ１の炭素、及びＹが−Ｏ−（Ｏ）Ｃ−又は−ＮＲ−Ｃ（Ｏ）−であるときの炭素の合計は、Ｃ１２〜Ｃ２２、好ましくは、Ｃ１４〜Ｃ２０であり、各Ｒ１は、ヒドロカルビル又は置換ヒドロカルビル基であり、Ｘ−は、任意の柔軟剤相容性アニオン、好ましくは、塩化物、臭化物、メチル硫酸塩、硫酸エチル、硫酸塩及び硝酸塩であり、より好ましくは、塩化物又はメチル硫酸塩であり；
第２のタイプの好ましい布地柔軟化活性物質は、次の一般式を有する：
［Ｒ３Ｎ＋ＣＨ２ＣＨ（ＹＲ１）（ＣＨ２ＹＲ１）］Ｘ−
式中、各Ｙ、Ｒ、Ｒ１、及びＸ−は、前途と同じ意味を有する。そのような化合物としては、次式：
［ＣＨ３］３Ｎ（＋）［ＣＨ２ＣＨ（ＣＨ２Ｏ（Ｏ）ＣＲ１）Ｏ（Ｏ）ＣＲ１］Ｃ１（−）            （２）
を有する化合物が挙げられ、式中、各Ｒは、メチル又はエチル基であり、好ましくは、各Ｒ１はＣ１５〜Ｃ１９の範囲である。本明細書において使用する場合、ジエステルが明記されているとき、それは存在するモノエステルを含むことができる。
【００３４】
好ましいＤＥＱＡ（２）の例は、式１，２−ジ（アシルオキシ）−３−トリメチルアンモニオプロパンクロリドを有する「プロピル」エステル四級アンモニウム布地柔軟剤活性物質である。
【００３５】
第３のタイプの好ましい布地柔軟化活性物質は、次式を有する：
［Ｒ４−ｍ−Ｎ＋−Ｒ１ｍ］Ｘ−          （３）
式中、各Ｒ、Ｒ１、及びＸ−は、前途と同じ意味を有する。
【００３６】
第４のタイプの好ましい布地柔軟化活性物質は、次式を有する：
【００３７】
【化１０】
0006532957.tif 000011
式中、各Ｒ、Ｒ１、及びＡ−は、上記に与えられた定義を有し；各Ｒ２はＣ１〜６アルキレン基、好ましくは、エチレン基であり；Ｇは酸素原子又は−ＮＲ−基であり；
第５のタイプの好ましい布地柔軟化活性物質は、次式を有する：
【００３８】
【化１１】
0006532957.tif 000012
式中、Ｒ１、Ｒ２及びＧは、上記のように定義される。
【００３９】
第６のタイプの好ましい布地柔軟化活性物質は、脂肪酸とジアルキレントリアミンとの、例えば、分子量比約２：１での縮合反応生成物であり、反応生成物は、次式の化合物を含有する：
Ｒ１−Ｃ（Ｏ）−ＮＨ−Ｒ２−ＮＨ−Ｒ３−ＮＨ−Ｃ（Ｏ）−Ｒ１            （６）
式中、Ｒ１、Ｒ２は、上記のように定義され、各Ｒ３は、Ｃ１〜６アルキレン基、エチレン基であり、反応生成物は任意に好ましくは、硫酸ジメチルなどのアルキル化剤の添加によって第四級化されてもよい。
【００４０】
第７のタイプの好ましい布地柔軟化活性物質は、次式を有する：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−  （７）
式中、Ｒ、Ｒ１、Ｒ２、Ｒ３、及びＡ−は、上記のように定義される。
【００４１】
第８のタイプの好ましい布地柔軟化活性物質は、脂肪酸とヒドロキシアルキルアルキレンジアミンとの分子量比約２：１の反応生成物であり、反応生成物は、次式の化合物を含有する：
Ｒ１−Ｃ（Ｏ）−ＮＨ−Ｒ２−Ｎ（Ｒ３ＯＨ）−Ｃ（Ｏ）−Ｒ１              （８）
式中、Ｒ１、Ｒ２、及びＲ３は、上記のように定義される。
【００４２】
第９のタイプの好ましい布地柔軟化活性物質は、次式を有する：
【００４３】
【化１２】
0006532957.tif 000013
式中、Ｒ、Ｒ１、Ｒ２、及びＡ−は、上記のように定義される。
【００４４】
化合物（１）の非限定的な例は、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルスルフェートである。
【００４５】
化合物（２）の非限定的な例は、１，２ジ（ステアロイル−オキシ）３トリメチルアンモニウムプロパンクロリドである。
【００４６】
化合物（３）の非限定的な例は、ジカノーラジメチルアンモニウムクロリド、ジ（ハード）タロージメチルアンモニウムクロリド、ジカノーラジメチルアンモニウムメチルスルフェートなどのジアルキレンジメチルアンモニウム塩である。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチルアンモニウムクロリド、及びＡｋｚｏ  Ｎｏｂｅｌ  Ａｒｑｕａｄ  ２ＨＴ７５から入手可能なジハードタロージメチルアンモニウムクロリドである。
【００４７】
化合物（４）の非限定的な例は、１−メチル−１−ステアロイルアミドエチル−２−ステアロイルイミダゾリニウムメチルスルフェート（式中、Ｒ１は非環式脂肪族Ｃ１５〜Ｃ１７炭化水素基であり、Ｒ２はエチレン基であり、ＧがＮＨ基であり、Ｒ５はメチル基であり、Ａ−はメチルスルフェートアニオンである）であり、Ｗｉｔｃｏ  Ｃｏｒｐｏｒａｔｉｏｎより商品名Ｖａｒｉｓｏｆｔ（登録商標）として市販されている。
【００４８】
化合物（５）の非限定的な例は、１−タロウイルアミドエチル−２−タロウイルイミダゾリンであり、式中、Ｒ１は、非環式脂肪族Ｃ１５〜Ｃ１７炭化水素基であり、Ｒ２はエチレン基であり、ＧはＮＨ基である。
【００４９】
化合物（６）の非限定的な例は、脂肪酸とジエチレントリアミンとのモル比約２：１での反応生成物であり、反応生成物の混合物は、次式のＮ，Ｎ”−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源から誘導された市販の脂肪酸のアルキル基であり、Ｒ２及びＲ３は二価のエチレン基である。
【００５０】
化合物（７）の非限定例は、次式を有するジ脂肪アミドアミン系柔軟仕上げ剤である：
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）は、Ｗｉｔｃｏ  Ｃｏｒｐｏｒａｔｉｏｎから、例えば商品名Ｖａｒｉｓｏｆｔ（登録商標）２２２ＬＴとして市販されているアルキル基である。
【００５１】
化合物（８）の例は、脂肪酸とＮ−２−ヒドロキシエチルエチレンジアミンとのモル比約２：１での反応生成物であり、反応生成物の混合物は、次式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源から誘導された市販の脂肪酸のアルキル基である。
【００５２】
化合物（９）の例は、次式を有するジ第四級化合物である：
【００５３】
【化１３】
0006532957.tif 000014
式中、Ｒ１は脂肪酸から得られ、化合物はＷｉｔｃｏ  Ｃｏｍｐａｎｙから入手可能である。
【００５４】
上で開示した柔軟剤活性物質の組み合わせが、本発明における使用に好適であることは理解されるであろう。
【００５５】
アニオンＡ
本明細書のカチオン性窒素塩において、アニオンＡ−は、柔軟剤に相溶性のある任意のアニオンであり、電気的中性をもたらす。殆どの場合、これらの塩において電気的中性をもたらすために使用されるアニオンは、強酸からのものであり、特にハロゲン化物、例えば塩化物、臭化物、又はヨウ化物である。しかし、硫酸メチル、硫酸エチル、酢酸、ギ酸、硫酸、炭酸等の他のアニオンを使用してもよい。本明細書においては、クロリド及びメチルスルフェートは、アニオンＡとして好ましい。また、アニオンは、あまり好ましくはないが、Ａ−が基の半分を表す場合には、二重電荷を有してもよい。
【００５６】
アルデヒド及び／又はケトン基を含む好適な材料としては、殺生物剤、抗菌剤、殺菌剤、殺真菌剤、殺藻剤、カビ駆除剤、消毒剤、防腐剤、殺虫剤、駆虫剤、植物生長ホルモンなどのバイオコントロール成分が挙げられる。好適な抗菌剤としては、クロルヘキシジンジアセテート、グルタルアルデヒド、桂皮油及びシンナムアルデヒド、ポリビグアニド、オイゲノール、チモール、ゲラニオール、又はこれらの混合物が挙げられる。
【００５７】
一態様では、アルデヒド及び／又はケトン基を含む材料は、香料成分であり得る。例えばそれらには、表１に列挙される１つ又は２つ以上の香料成分が挙げられ得る。
【００５８】
【表１−１】
0006532957.tif 000015
【００５９】
【表１−２】
0006532957.tif 000016
【００６０】
補助剤成分
開示の布地処理組成物は、追加の補助剤成分を含み得る。こうした補助剤は、本明細書の上記に引用された任意の成分に加える。１つ又は２つ以上の態様では、開示の布地処理組成物は、開示の補助成分の１つ又は２つ以上を含まなくてもよい。以下は、好適な追加の補助剤の非限定的な列挙である。
【００６１】
添加剤成分
洗浄性界面活性剤。洗浄界面活性剤は、典型的にはアニオン性洗浄界面活性剤及び非イオン性界面活性剤を含み、好ましくは、アニオン性洗浄界面活性剤と非イオン性洗浄界面活性剤の重量比は、１：１を超え、好ましくは、１．５：１を超え、又は更には２：１を超え、又は更には２．５：１を超え、又は３：１を超える。
【００６２】
本組成物は、好ましくは、洗浄性界面活性剤を含み、好ましくは、１０重量％〜４０重量％、好ましくは、１２重量％〜、又は１５重量％〜、又は更には１８重量％〜の洗浄性界面活性剤を含む。好ましくは、界面活性剤は、アルキルベンゼンスルホネート及び１つ又は２つ以上の洗浄補助界面活性剤を含む。界面活性剤は、好ましくは、Ｃ１０〜Ｃ１３アルキルベンゼンスルホネート及び１つ又は２つ以上の洗浄補助界面活性剤を含む。補助界面活性剤は、好ましくは、平均エトキシル化度１〜７を有するＣ１２〜Ｃ１８アルキルエトキシル化アルコール、好ましくは、平均エトキシル化度１〜５を有するＣ１２〜Ｃ１８アルキルエトキシル化スルフェート、及びこれらの混合物からなる群から選択される。しかしながら、他の界面活性剤系を、本発明での使用に関して好適とすることができる。
【００６３】
好適な洗浄性界面活性剤としては、アニオン性洗浄性界面活性剤、非イオン性洗浄性界面活性剤、カチオン性洗浄性界面活性剤、双極性イオン性洗浄性界面活性剤、両性洗浄性界面活性剤、及びこれらの混合物が挙げられる。
【００６４】
好適なアニオン性洗浄界面活性剤としては、以下が挙げられる：アルキルスルフェート、アルキルスルホネート；アルキルホスフェート；アルキルホスホネート；アルキルカルボキシレート及びこれらの混合物。アニオン性界面活性剤は、以下からなる群から選択され得る：Ｃ１０〜Ｃ１８アルキルベンゼンスルホネート（ＬＡＳ）、好ましくは、Ｃ１０〜Ｃ１３アルキルベンゼンスルホネート、通常、次式を有するＣ１０〜Ｃ２０第一級分岐鎖、直鎖及びランダム鎖アルキルスルフェート（ＡＳ）
ＣＨ３（ＣＨ２）ｘＣＨ２−ＯＳＯ３−Ｍ＋
（式中、Ｍは、水素又は電気的中性を提供するカチオンであり、好ましいカチオンは、ナトリウム及びアンモニウムカチオンであり、式中、ｘは、少なくとも７の整数であり、好ましくは、少なくとも９である）；通常、次式を有するＣ１０〜Ｃ１８第二級（２，３）アルキルスルフェート
【００６５】
【化１４】
0006532957.tif 000017
（式中、Ｍは、水素又は電気的中性を提供するカチオンであり、好ましいカチオンとしてはナトリウム及びアンモニウムカチオンが挙げられ、式中、ｘは、少なくとも７の整数であり、好ましくは、少なくとも９であり、ｙは、少なくとも８の整数であり、好ましくは、少なくとも９である）；Ｃ１０〜Ｃ１８アルキルアルコキシカルボキシレート；中鎖分岐状アルキルスルフェート；変性アルキルベンゼンスルホネート（ＭＬＡＳ）；メチルエステルスルホネート（ＭＥＳ）；α−オレフィンスルホネート（ＡＯＳ）、及びこれらの混合物。
【００６６】
好ましいアニオン性洗浄界面活性剤としては、以下が挙げられる：直鎖又は分岐鎖、置換又は非置換アルキルベンゼンスルホネート洗浄性界面活性剤、好ましくは、直鎖Ｃ８〜Ｃ１８アルキルベンゼンスルホネート洗浄性界面活性剤；直鎖又は分岐鎖、置換又は非置換アルキルベンゼンスルホネート洗浄性界面活性剤；直鎖又は分岐鎖、置換又は非置換アルキルスルフェート洗浄性界面活性剤（直鎖Ｃ８〜Ｃ１８アルキルスルフェート洗浄性界面活性剤、Ｃ１〜Ｃ３アルキル分岐鎖Ｃ８〜Ｃ１８アルキルスルフェート洗浄性界面活性剤、直鎖又は分岐鎖アルコキシル化Ｃ８〜Ｃ１８アルキルスルフェート洗浄性界面活性剤など）及びこれらの混合物；直鎖又は分岐鎖、置換又は非置換アルキルスルホネート洗浄性界面活性剤；及びこれらの混合物。
【００６７】
好ましいアルコキシル化アルキルスルフェート洗浄性界面活性剤は、平均アルコキシル化度が１〜３０、好ましくは、１〜１０の、直鎖又は分岐鎖、置換又は非置換Ｃ８〜１８アルキルアルコキシル化スルフェート洗浄性界面活性剤である。好ましくは、アルコキシル化アルキルスルフェート洗浄性界面活性剤は、平均エトキシル化度が１〜１０の、直鎖又は分岐鎖、置換又は非置換Ｃ８〜１８アルキルエトキシル化スルフェートである。最も好ましくは、アルコキシル化アルキルスルフェート洗浄性界面活性剤は、３〜７の平均エトキシル化度を有する、直鎖、非置換のＣ８〜１８アルキルエトキシル化スルフェートである。
【００６８】
好ましいアニオン性洗浄界面活性剤は、以下からなる群から選択される：直鎖又は分岐鎖、置換又は非置換Ｃ１２〜１８アルキルスルフェート；直鎖又は分岐鎖、置換又は非置換Ｃ１０〜１３アルキルベンゼンスルホネート、好ましくは、直鎖Ｃ１０〜１３アルキルベンゼンスルホネート；及びこれらの混合物。きわめて好ましいのは、直鎖Ｃ１０〜１３アルキルベンゼンスルホネートである。きわめて好ましいのは、市販の直鎖アルキルベンゼン（ＬＡＢ）をスルホン化することによって得ることができる、好ましくは、得られた直鎖Ｃ１０〜１３アルキルベンゼンスルホネートであり、好適なＬＡＢとしては、商品名Ｉｓｏｃｈｅｍ（登録商標）としてＳａｓｏｌにより供給されているもの又はＰｅｔｒｅｓａにより商品名Ｐｅｔｒｅｌａｂ（登録商標）として供給されているものなどの低２−フェニルＬＡＢが挙げられ、他の好適なＬＡＢとしては、商品名Ｈｙｂｌｅｎｅ（登録商標）としてＳａｓｏｌにより供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。
【００６９】
別の好適なアニオン性洗浄性界面活性剤は、アルキルエトキシカルボキシレートである。アニオン性洗浄性界面活性剤は、典型的にはその塩形態で存在し、典型的には好適なカチオンと錯体化している。好適な対イオンとしては、Ｎａ＋及びＫ＋、Ｃ１〜Ｃ６アルカノールアンモニウムなどの置換アンモニウム、好ましくは、モノエタノールアミン（ＭＥＡ）、トリエタノールアミン（ＴＥＡ）、ジエタノールアミン（ＤＥＡ）、及びこれらの任意の混合物が挙げられる。
【００７０】
しかしながら、好ましくは、少なくとも２０重量％、又は少なくとも３０重量％、又は少なくとも４０重量％、又は少なくとも５０重量％、又は少なくとも６０重量％、又は少なくとも７０重量％、又は少なくとも８０重量％、又は更には少なくとも９０重量％のアニオン性洗浄界面活性剤がナトリウムカチオンにより中和される。
【００７１】
アニオン性洗浄界面活性剤にとっては、８．０〜９．１の親水性指数（ＨＩＣ）を有することが好ましく、アニオン性洗浄界面活性剤にとっては、より低い親水性指数（ＨＩＣ）、６．０〜８．０、又は７．０〜８．０未満の範囲の親水性指数などを有することが更に好ましいこともある。
【００７２】
好適なカチオン性洗浄界面活性剤としては、以下が挙げられる：アルキルピリジニウム化合物、アルキル第四級アンモニウム化合物；アルキル第四級ホスホニウム化合物；アルキル第三級スルホニウム化合物；及びこれらの混合物。カチオン性洗浄性界面活性剤は、以下からなる群から選択され得る：アルコキシル化第四級アンモニウム（ＡＱＡ）界面活性剤；ジメチルヒドロキシエチル四級アンモニウム、ポリアミンカチオン性界面活性剤；カチオン性エステル界面活性剤、アミノ界面活性剤、具体的にはアミドプロピルジメチルアミン；及びこれらの混合物。好適なカチオン性洗浄性界面活性剤は、次の一般式を有する第四級アンモニウム化合物である
（Ｒ）（Ｒ１）（Ｒ２）（Ｒ３）Ｎ＋Ｘ−
（式中、Ｒは直鎖又は分岐鎖、置換又は非置換Ｃ６〜１８アルキル又はアルケニル部分であり、Ｒ１及びＲ２は、メチル又はエチル部分から独立して選択され、Ｒ３はヒドロキシル、ヒドロキシメチル、又はヒドロキシエチル部分であり、Ｘは電荷的中性を提供するアニオンであり、好ましいアニオンとしてはハロゲン化物（クロリドなど）、スルフェート、及びスルホネートが挙げられる）。好ましいカチオン性洗浄性界面活性剤は、モノ−Ｃ６〜１８アルキルモノ−ヒドロキシエチルジ−メチル第四級アンモニウムクロリドである。きわめて好ましいカチオン性洗浄性界面活性剤は、モノ−Ｃ８〜１０のアルキルモノ−ヒドロキシエチルジ−メチル第四級アンモニウムクロリド、モノ−Ｃ１０〜１２アルキルモノ−ヒドロキシエチルジ−メチル第四級アンモニウムクロリド、及びモノ−Ｃ１０アルキルモノ−ヒドロキシエチルジ−メチル第四級アンモニウムクロリドである。
【００７３】
好適な非イオン性洗浄性界面活性剤は、Ｃ８〜Ｃ１８アルキルエトキシレート（例えば、Ｓｈｅｌｌから販売されるＮＥＯＤＯＬ（登録商標）非イオン性界面活性剤）；Ｃ６〜Ｃ１２アルキルフェノールアルコキシレート（このアルコキシレート単位は、エチレンオキシ単位、プロピレンオキシ単位、又はこれらの混合物である）；エチレンオキシド／プロピレンオキシドブロックポリマーとの、Ｃ１２〜Ｃ１８アルコール及びＣ６〜Ｃ１２アルキルフェノール縮合物（例えば、ＢＡＳＦから販売されるＰｌｕｒｏｎｉｃ（登録商標））；Ｃ１４〜Ｃ２２中鎖分岐アルコール（ＢＡ）；Ｃ１４〜Ｃ２２中鎖分岐アルキルアルコキシレート（ＢＡＥｘ、式中、ｘ＝１〜３０である）、アルキル多糖類、具体的にはアルキルポリグリコシド、ポリヒドロキシ脂肪酸アミド、エーテル末端保護ポリ（オキシアルキル化）アルコール界面活性剤、及びこれらの混合物からなる群から選択できる。
【００７４】
非イオン性洗浄性界面活性剤は、アルキルポリグルコシド及び／又はアルキルアルコキシル化アルコールであり得る。好ましくは、非イオン性洗浄性界面活性剤は、１〜１０の、より好ましくは、３〜７の平均エトキシル化度を有する、直鎖又は分岐鎖、置換又は非置換のＣ８〜１８アルキルエトキシ化アルコールである。
【００７５】
好適な双極性イオン及び／又は両性洗浄性界面活性剤としては、アルカノールアミンスルホベタインが挙げられる。
【００７６】
本組成物が分岐鎖アニオン性洗浄性界面活性剤及び／又は分岐鎖非イオン性洗浄性界面活性剤を含むことが好ましいものであり得る。好ましくは、分岐状アニオン性洗浄性界面活性剤及び／又は分岐状非イオン性洗浄性界面活性剤は、天然源に由来し、好ましくは、天然源は生体由来イソプレノイドを含み、最も好ましくは、ファルネセンである。
【００７７】
界面活性増強ポリマー（surfactancy boosting polymer）。本組成物は、界面活性増強ポリマーを含んでもよい。好ましいポリマーは、両親媒性アルコキシル化グリース洗浄ポリマー及び／又はランダムグラフトコポリマーである。これらのポリマーは、以下でより詳細に説明される。
【００７８】
両親媒性アルコキシル化グリース洗浄ポリマー。両親媒性アルコキシル化グリース洗浄ポリマーは、布地及び表面からグリース粒子を除去するように親水性と疎水性の特性が釣り合っている任意のアルコキシル化ポリマーを指す。本発明の両親媒性アルコキシル化グリース洗浄ポリマーの具体的な実施形態は、コア構造及びそのコア構造に結合した複数のアルコキシレート基を含む。
【００７９】
コア構造は、縮合形態で式（Ｉ）、（ＩＩ）、（ＩＩＩ）、及び（ＩＶ）の繰り返し単位を含むポリアルキレンイミン構造を含んでもよい。
【００８０】
【化１５】
0006532957.tif 000018
（式中、＃は、各場合において、窒素原子と、式（Ｉ）、（ＩＩ）、（ＩＩＩ）又は（ＩＶ）の２つの隣接する繰り返し単位の基Ａ１の遊離結合部位との間の結合の半分を示し、＊は、各場合において、アルコキシレート基の１つとの結合の半分を示し；Ａ１は独立して直鎖又は分岐鎖Ｃ２〜Ｃ６−アルキレンから選択され；ポリアルキレンイミン構造は、式（Ｉ）の１の繰り返し単位、式（ＩＩ）のｘの繰り返し単位、式（ＩＩＩ）のｙの繰り返し単位及び式（ＩＶ）のｙ＋１の繰り返し単位からなり、ｘ及びｙは、各場合において、０〜約１５０の範囲の値を有し、ポリアルキレンイミンコア構造の平均重量平均分子量Ｍｗは、約６０〜約１０，０００ｇ／ｍｏｌの範囲の値である）。
【００８１】
代替的に、コア構造は、式（Ｉ．ａ）及び／又は（Ｉ．ｂ）のＮ−（ヒドロキシアルキル）アミンから選択される少なくとも１つの化合物の縮合生成物のポリアルカノールアミン構造
【００８２】
【化１６】
0006532957.tif 000019
を含む（式中Ａは、Ｃ１〜Ｃ６−アルキレンから独立して選択され、Ｒ１、Ｒ１＊、Ｒ２、Ｒ２＊、Ｒ３、Ｒ３＊、Ｒ４、Ｒ４＊、Ｒ５及びＲ５＊は、水素、アルキル、シクロアルキル、又はアリールから独立して選択され、上記ラジカルのアルキル、シクロアルキル、又はアリールは、任意に置換されてもよく、Ｒ６は、水素、アルキル、シクロアルキル、又はアリールから選択され、上記ラジカルのアルキル、シクロアルキル、又はアリールは、任意に置換されてもよい）。
【００８３】
コア構造に結合した複数のアルキレンオキシ基は、式（Ｖ）のアルキレンオキシ単位
【００８４】
【化１７】
0006532957.tif 000020
から独立して選択される（式中＊は、各場合において、式（Ｉ）、（ＩＩ）、又は（ＩＶ）の繰り返し単位の窒素原子に対する結合の半分を示し、Ａ２は、各場合において、１，２−プロピレン、１，２−ブチレン及び１，２−イソブチレンから独立して選択され、Ａ３は、１，２−プロピレンであり、Ｒは、各場合において、水素及びＣ１〜Ｃ４−アルキルから独立して選択され、ｍは、０〜約２の範囲の平均値を有し、ｎは、約２０〜約５０の範囲の平均値を有し、ｐは、約１０〜約５０の範囲の平均値を有する）。
【００８５】
両親媒性アルコキシル化グリース洗浄ポリマーの特定の実施形態は、内側ポリエチレンオキシドブロックと外側ポリプロピレンオキシドブロックとを有するアルコキシル化ポリアルキレンイミンから選択されてもよく、エトキシル化度及びプロポキシル化度は特定の制限値を上回りも下回りもしない。本発明によるアルコキシル化ポリアルキレンイミンの特定の実施形態は、ポリエチレンブロックの、ポリプロピレンブロックに対する比率（ｎ／ｐ）の最小値が約０．６であり、最大値が約１．５（ｘ＋２ｙ＋１）１／２である。約０．８〜約１．２（ｘ＋２ｙ＋１）１／２のｎ／ｐ比率を有するアルコキシル化ポリアルキレンイミンは、特に有益な特性を有することが判明している。
【００８６】
本発明によるアルコキシル化ポリアルキレンイミンは第一級、第二級、及び第三級アミン窒素原子から成る主鎖を有し、これらの窒素原子は、アルキレンラジカルＡにより互いに結合し、ランダムに配列される。ポリアルキレンイミン主鎖の主鎖及び側鎖を開始又は終端し、その残りの水素原子が引き続いてアルキレンオキシ単位により置換される、第一級アミノ部分は、それぞれ式（Ｉ）又は（ＩＶ）の繰り返し単位と称される。残りの水素原子が引き続いてアルキレンオキシ単位により置換される第二級アミノ部分は、式（ＩＩ）の繰り返し単位と称される。主鎖及び側鎖に分岐する第三級アミノ部分は、式（ＩＩＩ）の繰り返し単位と称される。
【００８７】
環化はポリアルキレンイミン主鎖の形成時に生じる可能性があるので、環状アミノ部分が主鎖内に小量で存在する場合もある。環状アミノ部分を含有するこのようなポリアルキレンイミンは、無論、非環状第一級及び第二級アミノ部分からなるものと同様にアルコキシル化される。
【００８８】
窒素原子及びＡ１基からなるポリアルキレンイミン主鎖は、約６０〜約１０，０００ｇ／ｍｏｌ、好ましくは、約１００〜約８，０００ｇ／ｍｏｌ、より好ましくは、約５００〜約６，０００ｇ／ｍｏｌの平均分子量Ｍｗを有する。
【００８９】
和（ｘ＋２ｙ＋１）は、１つの個々のポリアルキレンイミン主鎖内に存在するアルキレンイミン単位の総数に相当し、それゆえにポリアルキレンイミン主鎖の分子量に直接関わる。しかしながら、本明細書で与えられた値は、混合物中に存在するすべてのポリアルキレンイミンの数平均に関わる。和（ｘ＋２ｙ＋２）は、１つの個々のポリアルキレンイミン主鎖内に存在するアミノ基の総数に相当する。
【００９０】
アミノ窒素原子に接続するラジカルＡ１は、１，２−エチレン、１，２−プロピレン、１，２−ブチレン、１，２−イソブチレン、１，２−ペンタンジイル、１，２−ヘキサンジイル又はヘキサメチレンなどの、同一又は異なる、直鎖又は分岐鎖Ｃ２〜Ｃ６−アルキレンラジカルであってもよい。好ましい分岐状アルキレンは、１，２−プロピレンである。好ましい直鎖アルキレンは、エチレン及びヘキサメチレンである。より好ましいアルキレンは、１，２−エチレンである。
【００９１】
ポリアルキレンイミン主鎖の第一級及び第二級アミノ基の水素原子は、式（Ｖ）のアルキレンオキシ単位により置換される。
【００９２】
【化１８】
0006532957.tif 000021
【００９３】
この式では、可変因子は、好ましくは、以下に与えられる意味のうちの１つを有する。
Ａ２は、各場合において、１，２−プロピレン、１，２−ブチレン及び１，２−イソブチレンから選択され、好ましくは、Ａ２は、１，２−プロピレンであり、Ａ３は、１，２−プロピレンであり、Ｒは、各場合において、水素及びＣ１〜Ｃ４アルキル（メチル、エチル、ｎ−プロピル、イソプロピル、ｎ−ブチル、イソブチル及びｔｅｒｔ−ブチルなど）から選択され、好ましくは、Ｒは、水素である。添え字ｍは、各場合において、０〜約２の値を有し、好ましくは、ｍは、０又はおよそ１であり、より好ましくは、ｍは、０である。添え字ｎは、約２０〜約５０の範囲、好ましくは、約２２〜約４０の範囲、より好ましくは、約２４〜約３０の範囲の平均値を有する。添え字ｐは、約１０〜約５０の範囲、好ましくは、約１１〜約４０の範囲、より好ましくは、約１２〜約３０の範囲の平均値を有する。
【００９４】
好ましくは、式（Ｖ）のアルキレンオキシ単位は、アルコキシレートブロックの非ランダム配列である。非ランダム配列により、［−Ａ２−Ｏ−］ｍが１番目に付加され（すなわち、式（Ｉ）、（ＩＩ）又は（ＩＩＩ）の繰り返し単位の窒素原子に対する結合に最も近接している）、［−ＣＨ２−ＣＨ２−Ｏ−］ｎが２番目に付加され、［−Ａ３−Ｏ−］ｐが３番目に付加されることが意味される。この配向は、内側ポリエチレンオキシドブロックと外側ポリプロピレンオキシドブロックとを有するアルコキシル化ポリアルキレンイミンを提供する。
【００９５】
式（Ｖ）のこれらのアルキレンオキシ単位のかなりの部分は、エチレンオキシ単位−［ＣＨ２−ＣＨ２−Ｏ）］ｎ−及びプロピレンオキシ単位−［ＣＨ２−ＣＨ２（ＣＨ３）−Ｏ］ｐ−により形成される。アルキレンオキシ単位はまた追加的に、小さな比率のプロピレンオキシ又はブチレンオキシ単位−［Ａ２−Ｏ］ｍ−を有してもよく、すなわち、水素原子で飽和したポリアルキレンイミン主鎖は、存在するＮＨ−部分１モル当たりで最大約２モル、特に約０．５〜約１．５モル、特に約０．８〜約１．２モルの、少量のプロピレンオキシド又はブチレンオキシドと最初に反応させてもよい、すなわち、初期にアルコキシル化させてもよい。
【００９６】
ポリアルキレンイミン主鎖のこの最初の修飾により、必要である場合には、アルコキシル化における反応混合物の粘性を低下させることができる。しかしながら、修飾は一般にアルコキシル化ポリアルキレンイミンの性能特性に影響せず、したがって、好ましい尺度を構成しない。
【００９７】
両親媒性アルコキシル化グリース洗浄ポリマーは、本発明の洗剤及び洗浄組成物中に、組成物の約０．０５重量％〜約１０重量％の範囲の濃度で存在する。本組成物の実施形態は、約０．１重量％〜約５重量％を含んでもよい。より具体的には、本実施形態は、約０．２５〜約２．５％のグリース洗浄ポリマーを含んでもよい。
【００９８】
ランダムグラフトコポリマー。好適なランダムグラフトコポリマーは典型的には、（ｉ）不飽和Ｃ１〜Ｃ６カルボン酸、エーテル、アルコール、アルデヒド、ケトン、エステル、糖単位、アルコキシ単位、無水マレイン、飽和ポリアルコール（例えばグリセロールなど）、及びこれらの混合物からなる群から選択されるモノマーを含む親水性主鎖、並びに、（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖を含む。
【００９９】
このポリマーは好ましくは、次の一般式を有する。
【０１００】
【化１９】
0006532957.tif 000022
（式中、Ｘ、Ｙ、及びＺは、Ｈ又はＣ１〜６アルキルから独立して選択される末端保護単位であり、各Ｒ１は、メチル及びエチルから独立して選択され、各Ｒ２は、Ｈ及びメチルから独立して選択され、各Ｒ３は、Ｃ１〜４アルキルから独立して選択され、各Ｒ４は、ピロリドン及びフェニル基から独立して選択される。ポリエチレンオキシド主鎖の重量平均分子量は典型的に、約１，０００ｇ／ｍｏｌ〜約１８，０００ｇ／ｍｏｌ、又は約３，０００ｇ／ｍｏｌ〜約１３，５００ｇ／ｍｏｌ、又は約４，０００ｇ／ｍｏｌ〜約９，０００ｇ／ｍｏｌである。ペンダント基がポリマーの少なくとも５０重量％、又は約５０重量％〜約９８重量％、又は約５５重量％〜約９５重量％、又は約６０重量％〜約９０重量％を構成するように、ｍ、ｎ、ｏ、ｐ及びｑの値が選択される。本明細書で有用なポリマーは、典型的には、約１，０００〜約１００，０００ｇ／モル、又は好ましくは、約２，５００ｇ／モル〜約４５，０００ｇ／モル、又は約７，５００ｇ／モル〜約３３，８００ｇ／モル、又は約１０，０００ｇ／モル〜約２２，５００ｇ／モルの重量平均分子量を有する。
【０１０１】
他のポリマー。本組成物は、好ましくは、界面活性増強ポリマーに加えて、ポリマーを含む。好適な他のポリマーとしては、汚れ除去ポリマー、再付着防止ポリマー、カルボキシレートポリマー、及び／又は付着補助ポリマーが挙げられる。他の好適なポリマーとしては、ポリビニルピロリドンポリマー、ポリアミンＮ−酸化物ポリマー、Ｎ−ビニルピロリドン及びＮ−ビニルイミダゾールポリマーのコポリマーなどの移染阻害剤が挙げられる。
【０１０２】
汚れ放出ポリマー。好適な汚れ放出ポリマーとしては、ランダム又はブロック構成において、糖、ジカルボン酸、ポリオール及びこれらの組み合わせから選択される少なくとも１種のモノマー単位を含むポリマーが挙げられる。他の好適な汚れ放出ポリマーとしては、エチレンテレフタレート系ポリマー及びそのコポリマー、好ましくは、ランダム又はブロック構成におけるエチレンテレフタレート及びポリエチレンオキシドのコポリマーが挙げられる。
【０１０３】
再付着防止ポリマー。本組成物は、再付着防止ポリマー、好ましくは、０．１重量％〜１０重量％の再付着防止ポリマーを含んでもよい。好適な再付着防止ポリマーとしては、アクリル酸、マレイン酸（又は無水マレイン酸）、フマル酸、イタコン酸、アコニット酸、メサコン酸、シトラコン酸、メチレンマロン酸及びこれらの任意の混合物から選択される少なくとも１種のモノマーを含むポリマーなどのカルボキシレートポリマーが挙げられる。好適なカルボキシレートポリマーの例。
【０１０４】
他の好適な再付着防止ポリマーとしては、好ましくは、５００〜１００，０００Ｄａの範囲の分子量を有する、ポリエチレングリコールが挙げられる。
【０１０５】
カルボキシレートポリマー。本組成物が、本組成物の０重量％超〜５重量％の高分子カルボキシレートを含むことが好ましいものであり得る。高分子カルボキシレートは、洗浄溶液中で遊離のカルシウムイオンを封鎖することができる。カルボキシレートポリマーは、汚れ分散剤としても作用することができ、改善された微粒子染み除去洗浄効果をもたらすことができる。
【０１０６】
本組成物は、好ましくは、高分子カルボキシレートを含む。好ましい高分子カルボキシレートとしては、好ましくは、１，０００Ｄａ〜２０，０００Ｄａの重量平均分子量を有するポリアクリレート、好ましくは、マレイン酸モノマーとアクリル酸モノマーのモル比１：１〜１：１０かつ１０，０００Ｄａ〜２００，０００Ｄａの重量平均分子量を有し、又は好ましくは、マレイン酸モノマーとアクリル酸モノマーのモル比０．３：１〜３：１かつ１，０００Ｄａ〜５０，０００Ｄａの重量平均分子量を有するマレイン酸とアクリル酸とのコポリマーが挙げられる。
【０１０７】
付着補助剤。本組成物は、付着補助剤を含んでもよい。好適な付着補助剤は、多糖であり、好ましくは、セルロース系ポリマーである。他の好適な付着補助剤としては、ポリジアリルジメチルアンモニウムハロゲン化物（ＤＡＤＭＡＣ）、並びに、ランダム又はブロック構成での、ビニルピロリドン、アクリルアミド、イミダゾール、イミダゾリニウムハロゲン化物及びこれらの混合物との、ＤＡＤＭＡＣのコポリマーが挙げられる。他の好適な付着補助剤としては、カチオン性グアーガム、カチオン性ヒドロキシエチルセルロース、カチオンデンプン、カチオン性ポリアシルアミドなどのカチオン性セルロース、及びこれらの混合物が挙げられる。
【０１０８】
非高分子移染阻害剤。マンガン、フタロシアニン、ペルオキシダーゼ、及びこれらの混合物などの非高分子移染阻害剤も使用されてもよい。
【０１０９】
キレート剤。キレート剤は、以下に制限されていても、制限されていなくてもよい：エチレンジアミン四酢酸（ＥＤＴＡ）；ジエチレントリアミンペンタメチレンホスホン酸（ＤＴＰＭＰ）；ヒドロキシエタンジホスホン酸（ＨＥＤＰ）；エチレンジアミンＮ，Ｎ’−二コハク酸（ＥＤＤＳ）；メチルグリシン二酢酸（ＭＧＤＡ）；ジエチレントリアミン五酢酸（ＤＴＰＡ）；プロピレンジアミン四酢酸（ＰＤＴＡ）；２−ヒドロキシピリジン−Ｎ−酸化物（ＨＰＮＯ）；又はメチルグリシン二酢酸（ＭＧＤＡ）；グルタミン酸Ｎ，Ｎ−二酢酸（Ｎ，Ｎ−ジカルボキシメチルグルタミン酸四ナトリウム（ＧＬＤＡ）；ニトリロ三酢酸（ＮＴＡ）；４，５−ジヒドロキシ−ｍ−ベンゼンジスルホン酸；クエン酸；及びこれらの任意の塩。
【０１１０】
キレート剤は、典型的には、組成物中、０．１重量％〜１０重量％の量で存在する。キレート剤は、液体組成物中に懸濁される固体粒子の形態であってもよい。
【０１１１】
色調染料。本組成物は、布地色調剤（色合い剤、青味剤、又は白化剤と称される場合もある）を含み得る。典型的には、色調剤は、布地に青又は紫の色合いをもたらす。色調剤は、単独又は組み合わせのいずれかで使用し、特定の色調の色合いを作り出し、かつ／又は異なるタイプの布地に色合いをつけることができる。これは、例えば赤と緑−青の染料とを混合して青又は紫の色合いを生じさせることにより提供され得る。色調剤は、任意の既知の化学クラスの染料から選択されてもよく、これらは、アクリジン、アントラキノン（多環式キノンを含む）、アジン、予め金属化（premetallized）されているアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない。
【０１１２】
好適な布地色調剤は、染料、染料−粘土複合体（dye-clay conjugate）、並びに有機及び無機顔料を含む。好適な染料としては、低分子染料及びポリマー染料が挙げられる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料を含む。別の態様では、好適な小分子染料としては、カラーインデックス（染色業者及びカラーリスト協会（Society of Dyers and Colourists, Bradford, UK））番号：ダイレクトバイオレット染料（９、３５、４８、５１、６６、及び９９など）、ダイレクトブルー染料（１、７１、８０、及び２７９など）、アシッドレッド染料（１７、７３、５２、８８、及び１５０など）、アシッドバイオレット染料（１５、１７、２４、４３、４９、及び５０など）、アシッドブルー染料１５、１７、２５、２９、４０、４５、７５、８０、８３、９０、及び１１３など）、アシッドブラック染料（１など）、ベーシックバイオレット染料１、３、４、１０、及び３５など、ベーシックブルー染料（３、１６、２２、４７、６６、７５、及び１５９など）、分散又は溶剤染料、並びにこれらの混合物からなる群から選択される小分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【０１１３】
好適なポリマー染料には、共有結合している色原体（色素ポリマー複合体）を含有するポリマー、例えば、ポリマーの主鎖に共重合した色原体を有するポリマー、及びそれらの混合物からなる群から選択されるポリマー染料が挙げられる。
【０１１４】
別の態様では、好適なポリマー染料としては、Ｌｉｑｕｉｔｉｎｔ（登録商標）（Ｍｉｌｌｉｋｅｎ、Ｓｐａｒｔａｎｂｕｒｇ，Ｓｏｕｔｈ  Ｃａｒｏｌｉｎａ、米国）の名称で販売されている布地直接着色剤、少なくとも１つの反応染料と、ヒドロキシル部分、一級アミン部分、二級アミン部分、チオール部分及びそれらの混合物からなる群から選択される部分を含むポリマーからなる群から選択されるポリマーとから形成される染料−ポリマー複合体からなる群から選択されるポリマー染料が挙げられる。更に別の態様では、好適なポリマー染料は、Ｌｉｑｕｉｔｉｎｔ（登録商標）バイオレットＣＴ、Ｍｅｇａｚｙｍｅ、Ｗｉｃｋｌｏｗ、アイルランドから商品名ＡＺＯ−ＣＭ−ＣＥＬＬＵＬＯＳＥ、商品コードＳ−ＡＣＭＣで販売されているＣ．Ｉ．リアクティブブルー１９と複合されているＣＭＣなどのリアクティブブルー、リアクティブバイオレット又はリアクティブレッドの染料に共有結合しているカルボキシメチルセルロース（ＣＭＣ）、アルコキシル化トリフェニール−メタンポリマー着色料、アルコキシル化チオフェンポリマー着色料、及びこれらの混合物からなる群から選択されるポリマー染料を含む。
【０１１５】
好ましい色調染料としては、白色剤が挙げられる。
【０１１６】
好適な染料−粘土複合体には、少なくとも１つの陽イオン性／塩基性染料及びスメクタイト粘土、並びにそれらの混合物を含む群から選択される染料粘土複合体を含む。別の態様では、好適な染料−粘土複合体は、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つの陽イオン性／塩基性染料と、モンモリロナイト粘土、ヘクトライト粘土、サポナイト粘土、及びそれらの混合物からなる群から選択される粘土とからなる群から選択される、染料粘土複合体を含む。更に別の態様では、好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５共役体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体が挙げられる。
【０１１７】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１−Ｃ３アルキル若しくはフェニル又は複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料が挙げられる。
【０１１８】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０１１９】
上記の布地色調剤は、組み合わせて用いることができる（布地色調剤のいずれの混合物も用いることができる）。
【０１２０】
酵素。本組成物は、好ましくは、酵素を含む。好ましくは、本組成物は、比較的高いレベルの酵素を含む。最も好ましくは、本組成物は、少なくとも０．０１重量％の活性酵素を含む。本組成物には、少なくとも０．０３重量％の活性酵素を含ませることが好ましい場合がある。
【０１２１】
本組成物が、プロテアーゼ、アミラーゼ、リパーゼ、及び／又はセルラーゼから選択される少なくとも３成分酵素系を含むことが好ましい場合がある。
【０１２２】
リパーゼ。好適なリパーゼとしては、細菌由来又は真菌由来のものが挙げられる。化学的に修飾された又はタンパク質操作した突然変異型が含まれる。有用なリパーゼの例としては、例えば、Ｈ．ラヌギノサ（H. lanuginosa）（Ｔ．ラヌギノサス）（T. lanuginosus））又はＨ．インソレンス（H. insolens）等のフミコーラ属（別名サーモマイセス属（Thermomyces））由来のリパーゼ；例えば、Ｐ．アルカリゲネス（P. alcaligenes）又はＰ．シュードアルカリゲネス（P. pseudoalcaligenes）、Ｐ．セパシア（P. epacia）、Ｐ．スタットゼリ（P. stutzeri）、Ｐ．フルオレセンス（P. fluorescens）、シュードモナスＳＤ  ７０５株、Ｐ．ウィスコシネンシス（P. wisconsinensis）等のシュードモナス属のリパーゼ；例えば、Ｂ．サブチリス、Ｂ．ステアロサーモフィルス、又はＢ．プミルス等のバチルス属のリパーゼが挙げられる。
【０１２３】
リパーゼは、「第１のサイクルリパーゼ」であってもよい。一態様では、リパーゼは、第１の洗浄用リパーゼであり、好ましくは、Ｔ２３１Ｒ及びＮ２３３Ｒ変異を含む、サーモマイセス・ラヌギノサス（Thermomyces lanuginosus）由来の野生型リパーゼの変異体である。野生型配列は、Ｓｗｉｓｓｐｒｏｔ受託番号Ｓｗｉｓｓ−Ｐｒｏｔ  Ｏ５９９５２（サーモマイセス・ラヌギノサス（フミコーラ・ラヌギノサ）由来の２６９個のアミノ酸（アミノ酸２３〜２９１）である。好ましいリパーゼとしては、Ｎｏｖｏｚｙｍｅｓ（Ｂａｇｓｖａｅｒｄ，Ｄｅｎｍａｒｋ）によりＬｉｐｅｘ（登録商標）、Ｌｉｐｏｌｅｘ（登録商標）、及びＬｉｐｏｃｌｅａｎ（登録商標）の商品名で販売されているものが挙げられる。
【０１２４】
好ましくは、本組成物は、野生型アミノ酸と＞９０％の相同性を有し、Ｔ２３１及び／又はＮ２３３、好ましくは、Ｔ２３１Ｒ及び／又はＮ２３３Ｒで置換基（複数を含む）を含む、サーモミセス・ラヌギノーサリパーゼの変異体（本明細書において、「第１洗浄用リパーゼ」）を含む。
【０１２５】
プロテアーゼ。好適なプロテアーゼとしては、サブチリシン（ＥＣ  ３．４．２１．６２）などの中性又はアルカリ性の微生物セリンプロテアーゼを含むメタロプロテアーゼ及び／又はセリンプロテアーゼが挙げられる。好適なプロテアーゼとしては、動物、植物又は微生物由来のものが挙げられる。一態様では、こうした好適なプロテアーゼは、微生物由来のものであってもよい。好適なプロテアーゼとしては、前述の好適なプロテアーゼの化学的又は遺伝的に修飾された突然変異型が挙げられる。一態様では、好適なプロテアーゼは、アルカリ性微生物プロテアーゼ又は／及びトリプシン型プロテアーゼなどのセリンプロテアーゼであってもよい。好適な中性又はアルカリ性プロテアーゼの例としては、以下が挙げられる。
（ａ）サブチリシン（ＥＣ  ３．４．２１．６２）（Ｂａｃｉｌｌｕｓ  ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂａｃｉｌｌｕｓ  ｐｕｍｉｌｕｓ及びＢａｃｉｌｌｕｓ  ｇｉｂｓｏｎｉｉなどのバチルスから誘導されたものを含む）。
（ｂ）フサリウムプロテアーゼ、及びＣｅｌｌｕｍｏｎａｓに由来するキモトリプシンプロテアーゼを含む（例えば、ブタ起源又はウシ起源の）トリプシンなどのトリプシン型又はキモトリプシン型プロテアーゼ。
（ｃ）メタロプロテアーゼ（バチルス・アミロリケファシエンスに由来するものを含む）。
【０１２６】
好ましいプロテアーゼとしては、バチルス・ギブソニー又はバチルス・レンタスから誘導されるものが挙げられる。
【０１２７】
好適な市販のプロテアーゼ酵素としては、Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（すべてＨｅｎｋｅｌ／Ｋｅｍｉｒａより入手可能）；並びに花王のＫＡＰ（突然変異体Ａ２３０Ｖ＋Ｓ２５６Ｇ＋Ｓ２５９Ｎを有するバチルス・アルカロフィルス由来のサブチリシン）が挙げられる。
【０１２８】
好ましくは、本組成物は、ＢＬＡＰ、ＢＬＡＰ  Ｒ、ＢＬＡＰ  Ｘ、又はＢＬＡＰ  Ｆ４９から選択されるサブチリシンプロテアーゼを含む。
【０１２９】
セルラーゼ。好適なセルラーゼとしては、細菌由来又は真菌由来のセルラーゼが挙げられる。化学的に修飾された又はタンパク質操作した突然変異型が含まれる。好適なセルラーゼとしては、Ｂａｃｉｌｌｕｓ属、Ｐｓｅｕｄｏｍｏｎａｓ属、Ｈｕｍｉｃｏｌａ属、Ｆｕｓａｒｉｕｍ属、Ｔｈｉｅｌａｖｉａ属、Ａｃｒｅｍｏｎｉｕｍ属由来のセルラーゼ、例えば、Ｈｕｍｉｃｏｌａ  ｉｎｓｏｌｅｎｓ、Ｍｙｃｅｌｉｏｐｈｔｈｏｒａ  ｔｈｅｒｍｏｐｈｉｌａ、及びＦｕｓａｒｉｕｍ  ｏｘｙｓｐｏｒｕｍから生成される、真菌セルラーゼが挙げられる。
【０１３０】
一態様では、セルラーゼとしては、エンド−β−１，４−グルカナーゼ活性（Ｅ．Ｃ．３．２．１．４）を呈する微生物由来のエンドグルカナーゼが挙げられ得る。好適なエンドグルカナーゼは、商品名Ｃｅｌｌｕｃｌｅａｎ（登録商標）（Ｎｏｖｏｚｙｍｅｓ  Ａ／Ｓ（Ｂａｇｓｖａｅｒｄ，Ｄｅｎｍａｒｋ）として販売されている。更に好適なエンドグルカナーゼは、ＸＹＧ１００６酵素（Ｎｏｖｏｚｙｍｅｓ）の変異体である。好適なエンドグルカナーゼは、商品名Ｗｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【０１３１】
好ましくは、本組成物は、１７ｋＤａ〜３０ｋＤａの分子量を有するグリコシルヒドロラーゼファミリー４５に属する洗浄セルラーゼ、例えば、商品名Ｂｉｏｔｏｕｃｈ（登録商標）ＮＣＤ、ＤＣＣ、及びＤＣＬで販売されているエンドグルカナーゼ（ＡＢ  Ｅｎｚｙｍｅｓ，Ｄａｒｍｓｔａｄｔ，Ｇｅｒｍａｎｙ）を含む。
【０１３２】
アミラーゼ。好ましくは、本組成物は、以下を有するバチルス（Bacillus）ｓｐ．ＤＳＭ  １２６４９に対して、内因性のＡＡ５６０  αアミラーゼ、好ましくは、バチルスｓｐ．ＤＳＭ  １２６４９に対して内因性のＡＡ５６０  αアミラーゼの変異体に対して、６０％を超える相同性を有するアミラーゼを含む：
（ａ）９、２６、１４９、１８２、１８６、２０２、２５７、２９５、２９９、３２３、３３９及び３４５の１つ又は２つ以上の位置での変異；並びに
（ｂ）任意に、１１８、１８３、１８４、１９５、３２０及び４５８（存在する場合は、好ましくは、Ｒ１１８Ｋ、Ｄ１８３＊、Ｇ１８４＊、Ｎ１９５Ｆ、Ｒ３２０Ｋ及び／又はＲ４５８Ｋを含む）の位置において１つ又は２つ以上、好ましくはすべて、置換及び／又は欠失を有する。
【０１３３】
好適な市販のアミラーゼ酵素としては、Ｓｔａｉｎｚｙｍｅ（登録商標）Ｐｌｕｓ、Ｓｔａｉｎｚｙｍｅ（登録商標）、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ（すべてＮｏｖｏｚｙｍｅｓ，Ｂａｇｓｖａｅｒｄ，Ｄｅｎｍａｒｋ）、及びＳｐｅｚｙｍｅ（登録商標）ＡＡ、又はＵｌｔｒａｐｈｌｏｗ（Ｇｅｎｅｎｃｏｒ，Ｐａｌｏ  Ａｌｔｏ，ＵＳＡ）が挙げられる。
【０１３４】
コリンオキシダーゼ。好ましくは、本組成物は、アルトロバクター属菌（Arthrobacter nicotianae）に対して相同性のコリンオキシダーゼ酵素（５９．１ｋＤａのコリンオキシダーゼ酵素など）を含む。
【０１３５】
相同性。２つのアミノ酸配列の相関性は、「相同性」というパラメータによって表される。本発明の目的上、２つのアミノ酸配列のアラインメントは、ＥＭＢＯＳＳパッケージ（ｈｔｔｐ：／／ｅｍｂｏｓｓ．ｏｒｇ）バージョン２．８．０内のＮｅｅｄｌｅプログラムを用いることによって割り出される。Ｎｅｅｄｌｅプログラムは、Ｎｅｅｄｌｅｍａｎ，Ｓ．Ｂ．ａｎｄ  Ｗｕｎｓｃｈ，Ｃ．Ｄ．（１９７０）Ｊ．Ｍｏｌ．Ｂｉｏｌ．４８，４４３〜４５３に記載のグローバルアラインメントアルゴリズムを実行する。用いられる置換マトリクスは、ＢＬＯＳＵＭ６２であり、ギャップオープニングペナルティは、１０であり、ギャップエクステンションペナルティは、０．５である。
【０１３６】
他の酵素。他の好適な酵素は、植物、細菌、又は真菌由来のものを含む、ペルオキシダーゼ／オキシダーゼである。化学的に修飾された又はタンパク質操作した突然変異型が含まれる。有用なペルオキシダーゼの例としては、例えば、コプリナスシネレウス（C. cinereus）由来のコプリナス由来のペルオキシダーゼ、及びこれらの変異体が挙げられる。
【０１３７】
市販のペルオキシダーゼとしては、ＧＵＡＲＤＺＹＭＥ（登録商標）（Ｎｏｖｏｚｙｍｅｓ  Ａ／Ｓ）が挙げられる。
【０１３８】
他の好ましい酵素としては、商品名、Ｐｅｃｔａｗａｓｈ（登録商標）、Ｐｅｃｔａｗａｙ（登録商標）で販売されているペクチン酸リアーゼ、商品名、Ｍａｎｎａｗａｙ（登録商標）（以上すべてＮｏｖｏｚｙｍｅｓ  Ａ／Ｓ、Ｂａｇｓｖａｅｒｄ、Ｄｅｎｍａｒｋ）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）で販売されているペクチン酸リアーゼ、クチナーゼ、ホスホリパーゼ；並びにこれらの任意の混合物が挙げられる。
【０１３９】
酵素安定剤。本組成物は、酵素安定剤を含み得る。好適な酵素安定剤としては、プロピレングリコール又はグリセロールなどのポリオール、糖又は糖アルコール、乳酸、可逆的プロテアーゼ阻害剤、ホウ酸又はホウ酸誘導体、例えば、芳香族ホウ酸エステル、若しくは４−ホルミルフェニルボロン酸などのフェニルボロン酸誘導体が挙げられる。本組成物は、プロピレングリコール又はグリセロールなどのポリオール、糖又は糖アルコールから好ましくは選択される無ホウ酸酵素安定剤を含むことが好ましい場合がある。本組成物は、ホウ酸を実質的に含まないことが、更に好ましい場合がある。実質的に含まないとは、典型的に、「意図的に添加されたものを含まない」ことを意味する。ホウ素を含まないとは、典型的には、ボラックスなどのホウ素源も含まない。
【０１４０】
カルシウム及びマグネシウムカチオン。好ましくは、本組成物は、少なくとも０．２重量％〜５重量％のカルシウム及び／又はマグネシウムカチオンを含む。
【０１４１】
視覚的信号成分。好適な視覚的信号成分としては、任意の反射材料及び／又は屈折性材料、好ましくは、マイカが挙げられる。
【０１４２】
消泡剤。本明細書に記載の洗剤組成物は、以下から選択される約０．００１重量％〜約４．０重量％の消泡剤を含む；シリコーン消泡剤化合物、シリコーンオイル及び疎水性粒子の消泡剤化合物、並びにこれらの混合物。一実施形態においては、本明細書に記載の組成物は、約０．０１重量％〜約２．０重量％、代替的に０．０５重量％〜約１．０重量％のシリコーン消泡剤（いかなる担体も含まない有効成分量ごとの百分率）を含む。
【０１４３】
一実施形態においては、消泡剤は、以下から選択される：シリコーン樹脂及び変性シリカと組み合わせたアリール又はアルキルアリール置換基を有するオルガノ変性シリコーンポリマー；Ｍ／Ｑ樹脂；及びこれらの混合物。
【０１４４】
脂肪酸。本組成物は、０重量％〜１０重量％、好ましくは、０重量％〜５重量％、好ましくは、０．１重量％〜５重量％、好ましくは、０．５重量％〜３重量％の飽和又は不飽和脂肪酸を含み、好ましくは、飽和又は不飽和Ｃ１２〜Ｃ２４脂肪酸、きわめて好ましくは、飽和Ｃ１２〜Ｃ１８脂肪酸を含む。
【０１４５】
構造剤／増粘剤。構造化液体は、内部的に構造化することによって、一次成分（例えば界面活性剤物質）によってその構造を形成することも、及び／又は、二次成分（例えば、ポリマー、粘土、及び／又はケイ酸塩材料）を用いて、三次元マトリックス構造をもたらすことによって、外部的に構造化することもできる。
【０１４６】
本組成物は、構造化剤を含んでいてよく、好ましくは、０．０１重量％〜５重量％、０．１重量％〜２．０重量％の構造化剤を含んでもよい。構造剤は典型的には、ジグリセリド、トリグリセリド、エチレングリコールジステアレート、微結晶性セルロース、セルロース系物質、微細繊維セルロース、バイオポリマー、キサンタンガム、ジェランガム、及びこれらの混合物からなる群から選択する。好適な構造剤としては、硬化ヒマシ油、及びその非エトキシル化誘導体が挙げられる。本組成物では、リパーゼを実質的に含まないことが好ましい場合もある。実質的に含まないとは、典型的に、「意図的に添加されたものを含まない」ことを意味する。これは、本組成物が水添ヒマシ油及びこれらの非エトキシ化誘導体を含む場合に特に好ましい。
【０１４７】
エチレングリコールジステアレートは、視覚的信号成分としても使用され得る。
【０１４８】
溶媒。本組成物は、好ましくは、溶媒を含む。好ましい溶媒としては、アルコール及び／又はグリコール、好ましくは、メタノール、エタノール、及び／又はプロピレングリコールが挙げられる。好ましくは、本組成物は、酵素安定性の改善のために、メタノール及びエタノールを全く含まないか、若しくは最小限の量しか含まず、代わりに、比較的多量のプロピレングリコールを含む。好ましくは、本組成物は、プロピレングリコールを含む。
【０１４９】
他の好適な溶媒としては、Ｃ４〜Ｃ１４エーテル及びジエーテル、グリコール、アルコキシル化グリコール、Ｃ６〜Ｃ１６グリコールエーテル、アルコキシル化芳香族アルコール、芳香族アルコール、脂肪族分岐鎖アルコール、アルコキシル化脂肪族分岐鎖アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素、及びハロ炭化水素、並びにこれらの混合物が挙げられる。
【０１５０】
好ましい溶媒は、メトキシオクタデカノール、２−（２−エトキシエトキシ）エタノール、ベンジルアルコール、２−エチルブタノール及び／又は２−メチルブタノール、１−メチルプロポキシエタノール及び／又は２−メチルブトキシエタノール、直鎖Ｃ１〜Ｃ５アルコール（メタノール、エタノール、プロパノール、ブチルジグリコールエーテル（ＢＤＧＥ）、ブチルトリグリコールエーテル、第三級アミルアルコール、グリセロール、イソプロパノールなど）、並びにこれらの混合物から選択される。本明細書で使用することができる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びこれらの混合物である。他の好適な溶媒としては、プロピレングリコール、及びジエチレングリコール、並びにこれらの混合物が挙げられる。
【０１５１】
電解質の強度。脱イオン水中、濃度１ｇ／ｌ及び温度２５℃、ｍＳｃｍ−１での本組成物の電解質の強度は、好ましくは、２００ｍＳｃｍ−１未満、より好ましくは、１５０ｍＳｃｍ−１未満、更に好ましくは、１００ｍＳｃｍ−１未満、更に好ましくは、７５ｍＳｃｍ−１、又は５０ｍＳｃｍ−１未満である。電解質の強度は、好適な手段、例えば導電率計で測定され得る。
【０１５２】
緩衝剤。本組成物は、典型的に、緩衝剤を含む。好ましい緩衝剤としては、モノエタノールアミン（ＭＥＡ）及びトリエタノールアミン（ＴＥＡ）が挙げられる。好ましくは、本組成物は、実質的にボラックスを含まないが、ボラックスが緩衝剤として使用されてもよい。実質的に含まないとは、典型的に、「意図的に添加されたボラックスを組成物中に取り込まれない」ことを意味する。
【０１５３】
アルカノールアンモニウムカチオン。好ましくは、本組成物は、アルカノールアンモニウムカチオン、好ましくは、モノエタノールアミン（ＭＥＡ）及び／又はトリエタノールアミン（ＴＥＡ）を含む。
【０１５４】
ヒドロトロープ。本組成物は、ヒドロトロープを含んでもよい。好ましいヒドロトロープは、モノプロピレングリコールである。
【０１５５】
カプセル化剤
組成物は、カプセル化剤を含み得る。一態様では、カプセル化剤は、コアと、内面及び外面を有するシェルと、を含み、シェルは、コアをカプセル化する。
【０１５６】
カプセル化剤の一態様では、コアは、以下からなる群から選択される材料を含み得る：香料、増白剤、染料、防虫剤、シリコーン、ワックス、フレーバー、ビタミン、布地柔軟化剤、スキンケア剤、一態様では、パラフィン、酵素、抗菌剤、漂白剤、感覚剤、及びこれらの混合物。シェルは、以下からなる群から選択される材料を含んでもよい；ポリエチレン、ポリアミド、任意に他のコ−モノマーを含有するポリビニルアルコール、ポリスチレン、ポリイソプレン、ポリカーボネート、ポリエステル、ポリアクリレート、アミノプラスト（一態様では、アミノプラストは、ポリ尿素、ポリウレタン、及び／又はポリ尿素ウレタンを含み得、一態様では、ポリ尿素は、ポリオキシメチレン尿素及び／又はメラミンホルムアルデヒドを含み得る）、ポリオレフィン、多糖類、（一態様では、多糖類は、アルギン酸塩及び／又はキトサンを含み得る）、ゼラチン、セラック、エポキシ樹脂、ビニルポリマー、水不溶性無機物、シリコーン及びこれらの混合物。
【０１５７】
カプセル化剤の一態様では、コアは、香料を含んでもよい。
【０１５８】
カプセル化剤の一態様では、シェルは、メラミンホルムアルデヒド及び／又は架橋メラミンホルムアルデヒドを含んでもよい。
【０１５９】
一態様では、好適なカプセル化剤は、コア材料及びシェルを含むことができ、シェルがコア材料を少なくとも部分的に取り囲む好適なカプセル化剤が開示される。カプセル化剤の少なくとも７５％、８５％、又は更には９０％は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、並びに０％〜約３０％、０％〜約２０％、又は更には０％〜約５％の有益剤漏出率を有してもよい。
【０１６０】
一態様では、カプセル化剤の少なくとも７５％、８５％、又は更には９０％は、約１ミクロン〜約８０ミクロン、約５ミクロン〜６０ミクロン、約１０ミクロン〜約５０ミクロン、又は更には約１５ミクロン〜約４０ミクロンの粒径を有してもよい。
【０１６１】
一態様では、カプセル化剤の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有し得る。
【０１６２】
一態様では、カプセル化剤のコア材料は、香料原材料からなる群から選択される材料、及び／又は任意に、以下からなる群から選択される材料を含み得る：ヒマシ油、ココナッツ油、綿実油、菜種油、大豆油、トウモロコシ油、ヤシ油、亜麻仁油、ベニバナ油、オリーブ油、ピーナッツ油、ココナッツ油、パーム核油、ヒマシ油、レモン油、及びこれらの混合物を含むストレート及び／又はブレンド植物油を含む植物油；植物油のエステル（エステルは、アジピン酸ジブチル、フタル酸ジブチル、アジピン酸ブチルベンジル、アジピン酸ベンジルオクチル、リン酸トリクレジル、リン酸トリオクチル、及びこれらの混合物を含む）；約８０℃を超える沸点を有する直鎖又は分岐鎖炭化水素を含む、直鎖又は分岐鎖炭化水素；部分的に水素化したテルフェニル、フタル酸ジアルキル、モノイソプロピルビフェニルを含むアルキルジフェニル、ジプロピルナフタレンを含むアルキル化ナフタレン、灯油、鉱油、及びこれらの混合物を含むペトロリウムスピリット；ベンゼン、トルエン、及びこれらの混合物を含む芳香族溶媒；シリコーンオイル及びこれらの混合物。
【０１６３】
一態様では、カプセル化剤の壁材料は、アルデヒドとアミンの反応生成物などの好適な樹脂を含んでもよく、好適なアルデヒドとしてはホルムアルデヒドが挙げられる。好適なアミンとしては、メラミン、尿素、ベンゾグアナミン、グリコールウリル、及びこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【０１６４】
一態様では、好適なホルムアルデヒドスカベンジャーは、カプセル化剤と共に、例えばカプセルスラリー中で用いても、かつ／又は、カプセル化剤を消費者製品に加える前に、加えるときに、加えた後に、このような消費者製品に加えられてもよい。
【０１６５】
好適なカプセルは、Ａｐｐｌｅｔｏｎ  Ｐａｐｅｒｓ  Ｉｎｃ．，Ａｐｐｌｅｔｏｎ，Ｗｉｓｃｏｎｓｉｎ  ＵＳＡから購入することができる。
【０１６６】
また、前述のカプセル化剤を製造するための材料が、以下の供給元から入手可能である：Ｓｏｌｕｔｉａ社（米国ミズーリ州、Ｓｔ．Ｌｏｕｉｓ）、Ｃｙｔｅｃ  Ｉｎｄｕｓｔｒｉｅｓ社（米国ニュージャージー州、Ｗｅｓｔ  Ｐａｔｅｒｓｏｎ）、Ｓｉｇｍａ−Ａｌｄｒｉｃｈ社（米国ミズーリ州、Ｓｔ．Ｌｏｕｉｓ）、ＣＰ  Ｋｅｌｃｏ社（米国カリフォルニア州、Ｓａｎ  Ｄｉｅｇｏ）；ＢＡＳＦ社（ドイツ、Ｌｕｄｗｉｇｓｈａｆｅｎ）；Ｒｈｏｄｉａ社（米国ニュージャージー州、Ｃｒａｎｂｕｒｙ）；Ｈｅｒｃｕｌｅｓ社（米国デラウェア州、Ｗｉｌｍｉｎｇｔｏｎ）；Ａｇｒｉｕｍ社（カナダアルバータ州、Ｃａｌｇａｒｙ）、ＩＳＰ社（米国ニュージャージー州）、Ａｋｚｏ  Ｎｏｂｅｌ社（米国イリノイ州、Ｃｈｉｃａｇｏ）；Ｓｔｒｏｅｖｅｒ  Ｓｈｅｌｌａｃ  Ｂｒｅｍｅｎ社（ドイツ、Ｂｒｅｍｅｎ）；Ｄｏｗ  Ｃｈｅｍｉｃａｌ社（米国ミシガン州、Ｍｉｄｌａｎｄ）；Ｂａｙｅｒ社（ドイツ、Ｌｅｖｅｒｋｕｓｅｎ）；Ｓｉｇｍａ−Ａｌｄｒｉｃｈ社（米国ミズーリ州、Ｓｔ．Ｌｏｕｉｓ）。
【０１６７】
香料−一態様においては、本組成物は、以下からなる群から選択される１つ又は２つ以上の香料原材料を含む香料を含む；１，１’−オキシビス−２−プロパノール；１，４−シクロヘキサンジカルボン酸、ジエチルエステル；（エトキシメトキシ）シクロドデカン；１，３−ノナンジオール、モノアセテート；（３−メチルブトキシ）酢酸，２−プロペニルエステル；β−メチルシクロドデカンエタノール；２−メチル−３−［（１，７，７−トリメチルビシクロ［２．２．１］ヘプト−２−イル）オキシ］−１−プロパノール；オキサシクロヘキサデカン−２−オン；α−メチル−ベンゼンメタノールアセテート；ｔｒａｎｓ−３−エトキシ−１，１，５−トリメチルシクロヘキサン；４−（１，１−ジメチルエチル）シクロヘキサノールアセテート；ドデカヒドロ−３ａ，６，６，９ａ−テトラメチルナフト［２，１−ｂ］フラン；β−メチルベンゼンプロパナール；β−メチル−３−（１−メチルエチル）ベンゼンプロパナール；４−フェニル−２−ブタノン；２−メチルブタン酸、エチルエステル；ベンズアルデヒド；２−メチルブタン酸、１−メチルエチルエステル；ジヒドロ−５−ペンチル−２（３Ｈ）フラノン；（２Ｅ）−１−（２，６，６−トリメチル−２−シクロヘキセン−１−イル）−２−ブテン−１−オン；ドデカナール；ウンデカナール；デカナール；２−（フェニルメチレン）オクタナール；２−［［３−［４−（１，１−ジメチルエチル）フェニル］−２−メチルプロピリデン］アミノ］安息香酸、メチルエステル；１−（２，６，６−トリメチル−３−シクロヘキセン−１−イル）−２−ブテン−１−オン；２−ペンチルシクロペンタノン；３−オキソ−２−ペンチルシクロペンチル酢酸、メチルエステル；４−ヒドロキシ−３−メトキシベンズアルデヒド；３−エトキシ−４−ヒドロキシベンズアルデヒド；２−ヘプチルシクロペンタノン；１−（４−メチルフェニル）エタノン；（３Ｅ）−４−（２，６，６−トリメチル−１−シクロヘキセン−１−イル）−３−ブテン−２−オン；（３Ｅ）−４−（２，６，６−トリメチル−２−シクロヘキセン−１−イル）−３−ブテン−２−オン；ベンゼンエタノール；２Ｈ−１−ベンゾピラン−２−オン；４−メトキシベンズアルデヒド；１０−ウンデセナール；プロパン酸、フェニルメチルエステル；β−メチルベンゼンペンタノール；１，１−ジエトキシ−３，７−ジメチル−２，６−オクタジエン；（２Ｅ）−１−（２，６，６−トリメチル−１−シクロヘキセン−１−イル）−２−ブテン−１−オン；酢酸、フェニルメチルエステル；シクロヘキサンプロパン酸、２−プロペニルエステル；ヘキサン酸、２−プロペニルエステル；１，２−ジメトキシ−４−（２−プロペニル）ベンゼン；１，５−ジメチル−ビシクロ［３．２．１］オクタン−８−オンオキシム；４−（４−ヒドロキシ−４−メチルペンチル）−３−シクロヘキセン−１−カルボキシアルデヒド；３−ブテン−２−オール；２−［［［２，４（又は３，５）−ジメチル−３−シクロヘキセン−１−イル］メチレン］アミノ］安息香酸、メチルエステル；８−シクロヘキサデセン−１−オン；メチルイオノン；２，６−ジメチル−７−オクテン−２−オール；２−メトキシ−４−（��−プロペニル）フェノール；（２Ｅ）−３，７−ジメチル−２，６−オクタジエン−１−オール；２−ヒドロキシ−安息香酸、（３Ｚ）−３−ヘキセニルエステル；２−トリデセンニトリル；４−（２，２−ジメチル−６−メチレンシクロヘキシル）−３−メチル−３−ブテン−２−オン；テトラヒドロ−４−メチル−２−（２−メチル−１−プロペニル）−２Ｈ−ピラン；酢酸、（２−メチルブトキシ）−、２−プロペニルエステル；安息香酸、２−ヒドロキシ−、３−メチルブチルエステル；２−ブテン−１−オン、１−（２，６，６−トリメチル−１−シクロヘキセン−１−イル）−、（Ｚ）−；シクロペンタンカルボン酸、２−ヘキシル−３−オキソ−、メチルエステル；ベンゼンプロパナール、４−エチル−α、α−ジメチル−；３−シクロヘキセン−１−カルボキシアルデヒド、３−（４−ヒドロキシ−４−メチルペンチル）−；エタノン、１−（２，３，４，７，８，８ａ−ヘキサヒドロ−３，６，８，８−テトラメチル−１Ｈ−３ａ，７−メタノアズレン−５−イル）−、［３Ｒ−（３．α、３ａ．β、７．β、８ａ．α）］−；ウンデカナール、２−メチル−２Ｈ−ピラン−２−オン、６−ブチルテトラヒドロ−；ベンゼンプロパノール、４−（１，１−ジメチルエチル）−．α．−メチル−；２（３Ｈ）−フラノン、５−ヘプチルジヒドロ−；安息香酸、２−［（７−ヒドロキシ−３，７−ジメチルオクチルイデン）アミノ］−、メチル；安息香酸、２−ヒドロキシ−、フェニルメチルエステル；ナフタレン、２−メトキシ−；２−シクロペンテン−１−オン、２−ヘキシル−；２（３Ｈ）−フラノン、５−ヘキシルジヒドロ−；オキシランカルボン酸、３−メチル−３−フェニル−、エチルエステル；２−オキサビシクロ［２．２．２］オクタン、１，３，３−トリメチル−；ベンゼンペンタノール、．γ．−メチル−；３−オクタノール、３，７−ジメチル−；３，７−ジメチル−２，６−オクタジエンニトリル；３，７−ジメチル−６−オクテン−１−オール；テルピネオールアセタート；２−メチル−６−メチレン−７−オクテン−２−オール、ジヒドロ誘導体；３ａ，４，５，６，７，７ａ−ヘキサヒドロ−４，７−メタノ−１Ｈ−インデン−６−オールプロパノアート；３−メチル−２−ブテン−１−オールアセテート；（Ｚ）−３−ヘキセン−１−オールアセテート；２−エチル−４−（２，２，３−トリメチル−３−シクロペンテン−１−イル）−２−ブテン−１−オール；４−（オクタヒドロ−４，７−メタノ−５Ｈ−インデン−５−イリデン）−ブタナール；３−２，４−ジメチル−シクロヘキセン−１−カルボキシアルデヒド；１−（１，２，３，４，５，６，７，８−オクタヒドロ−２，３，８，８−テトラメチル−２−ナフタレニル）−エタノン；２−ヒドロキシ−安息香酸、メチルエステル；２−ヒドロキシ−安息香酸、ヘキシルエステル；２−フェノキシ−エタノール；２−ヒドロキシ−安息香酸、ペンチルエステル；２，３−ヘプタンジオン；２−ヘキセン−１−オール；６−オクテン−２−オール、２，６−ジメチル−；ダマスコン（α、β、γ又はδ若しくはこれらの混合物）、４，７−メタノ−１Ｈ−インデン−６−オール、３ａ，４，５，６，７，７ａ−ヘキサヒドロ−、ア��テート；９−ウンデカノール；８−ウンデカノール；イソシクロシトラール；エタノン、１−（１，２，３，５，６，７，８，８ａ−オクタヒドロ−２，３，８，８−テトラメチル−２−ナフタレニル）−；３−シクロヘキセン−１−カルボキシアルデヒド、３，５−ジメチル−；３−シクロヘキセン−１−カルボキシアルデヒド、２，４−ジメチル−；１，６−オクタジエン−３−オール、３，７−ジメチル−；１，６−オクタジエン−３−オール、３，７−ジメチル−、アセテート；リリアール（ｐ−ｔ−ブシナール（Bucinal））、及びシクロペンタノン、２−［２−（４−メチル−３−シクロヘキセン−１−イル）プロピル］−及び１−メチル−４−（１−メチルエテニル）シクロヘキセン及びこれらの混合物。
【０１６８】
一態様では、本組成物は、メラミン−ホルムアルデヒドの水溶性ヒドロキシ化合物、又は変性ポリビニルアルコールのいずれかを含むカプセル化香料粒子を含んでもよい。一態様では、このカプセル化剤は、（ａ）１つ又は２つ以上の水溶性ヒドロキシ化合物、好ましくは、デンプンを含む少なくとも部分的に水溶性の固体マトリックスと、（ｂ）この固体マトリックスにカプセル化された香油と、を含む。
【０１６９】
更なる態様では、香料は、ポリアミン、好ましくは、ポリエチレンイミンと予め複合化させて、シッフ塩基を形成させてもよい。
【０１７０】
水溶性フィルム−本発明の組成物はまた、水溶性フィルム内にカプセル化されてもよい。好ましいフィルム材料は、好ましくは、高分子材料である。フィルム材料は、当該技術分野において既知であるように、例えば、ポリマー材料のキャスティング、吹込成形、押出成形、又は吹込押出成形により得ることができる。
【０１７１】
衛生及び悪臭−本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり遊離するように設計されているもののうちの１つ又は２つ以上も含み得る。
【０１７２】
プロバイオティクス−本組成物は、プロバイオティクスを含んでもよい。
【０１７３】
シリコーン−追加のシリコーンが使用されてもよい。好適なシリコーンは、Ｓｉ−Ｏ部分を含み、（ａ）非官能化シロキサンポリマー、（ｂ）官能化シロキサンポリマー、及びこれらの組み合わせから選択され得る。オルガノシリコーンの分子量は、通常、物質の粘度を参照することにより示される。一態様では、有機シリコーンは、２５℃で約１０〜約２，０００，０００ｍｍ２／ｓ（約１０〜約２，０００，０００センチトークス）の粘度を含み得る。別の態様では、好適な有機シリコーンの粘度は、２５℃で約１０〜約８００，０００ｍｍ２／ｓ（約１０〜約８００，０００センチストークス）であってもよい。
【０１７４】
好適なオルガノシリコーンは、直鎖状であっても、分岐状であっても、又は架橋されていてもよい。一態様において、有機シリコーンは、シリコーン樹脂を含むことができる。シリコーン樹脂は、高架橋ポリマーシロキサン系である。架橋は、シリコーン樹脂の製造中に、三官能性及び四官能性シランを単官能性又は二官能性又はこれら両方のシランと共に組み込むことによって導入される。本明細書において使用する場合、専門用語ＳｉＯ「ｎ」／２は、酸素原子とケイ素原子との比を表す。例えば、ＳｉＯ１／２が、１つの酸素が２つのＳｉ原子間で共有されていることを意味する。同様に、ＳｉＯ２／２が、２つの酸素原子が２つのＳｉ原子間で共有されていることを意味し、ＳｉＯ３／２が、３つの酸素原子が２つのＳｉ原子間で共有されることを意味する。
【０１７５】
特に、シリコーン材料及びシリコーン樹脂は、「ＭＤＴＱ」命名法として当業者に既知の省略命名法のシステムによって便宜的に同定することができる。このシステムでは、シリコーンは、シリコーンを構成する様々なシロキサンモノマー単位の存在に従って記載される。要約すると、Ｍは、単官能性単位（ＣＨ３）３ＳｉＯ０．５を表し、Ｄは、二官能性単位（ＣＨ３）２ＳｉＯを表し、Ｔは、三官能性単位（ＣＨ３）ＳｉＯ１．５を表し、Ｑは、クァドラ（quadra）又は四官能性単位ＳｉＯ２を表す。単位記号のプライム符号（例えば、Ｍ’、Ｄ’、Ｔ’、及びＱ’）は、メチル以外の置換基を示し、出現の度に具体的に定義されなければならない。
【０１７６】
他の変性シリコーン又はシリコーンコポリマーもまた、本明細書で有用である。これらの例としては、シリコーン系第四級アンモニウム化合物（ケナン第四級化合物（Kennan quats））；末端第四級シロキサン；シリコーンアミノポリアルキレンオキシドブロックコポリマー；親水性シリコーンエマルション；及び１つ又は２つ以上の架橋された熊手状又は櫛状のシリコーンコポリマーセグメントから構成されたポリマーが挙げられる。
【０１７７】
一態様では、有機シリコーンは、以下の式（ＸＸＩＶ）を有し得る非官能化シロキサンポリマーを含んでもよく、ポリアルキル及び／又はフェニルシリコーン流体、樹脂並びに／あるいはゴムを含んでもよい
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（ＸＸＩＶ）
式中、
ｉ）各Ｒ１、Ｒ２、Ｒ３、及びＲ４は、以下からなる群から独立して選択されてもよい；Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ、部分；
ｉｉ）ｎは、約２〜約１０、又は約２〜約６の整数；又は２であり；ｎ＝ｊ＋２であってもよく；
ｉｉｉ）ｍは、約５〜約８，０００、約７〜約８，０００又は約１５〜約４，０００の整数であってもよく、
ｉｖ）ｊは、０〜約１０、又は０〜約４の整数、又は０であってもよい。
【０１７８】
一態様では、Ｒ２、Ｒ３、及びＲ４は、メチル、エチル、プロピル、Ｃ４〜Ｃ２０アルキル、及び／又はＣ６〜Ｃ２０アリール部分を含んでもよい。一態様では、Ｒ２、Ｒ３、及びＲ４はそれぞれメチルであってもよい。シリコーン鎖の末端をブロックするそれぞれのＲ１部分は、水素、メチル、メトキシ、エトキシ、ヒドロキシ、プロポキシ、及び／又はアリールオキシからなる群から選択される部分を含み得る。
【０１７９】
一態様では、有機シリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、及びフェニルジメチコンであってもよい。例としては、Ｄｏｗ  Ｃｏｒｎｉｎｇ（登録商標）Ｃｏｒｐｏｒａｔｉｏｎ（Ｍｉｄｌａｎｄ，ＭＩ）から入手可能な、ＤＣ  ２００Ｆｌｕｉｄ、ＤＣ  １６６４、ＤＣ  ３４９、ＤＣ  ３４６Ｇという名称で入手可能なもの、並びにＭｏｍｅｎｔｉｖｅ  Ｓｉｌｉｃｏｎｅｓ（Ｗａｔｅｒｆｏｒｄ，ＮＹ）から入手可能なＳＦ１２０２、ＳＦ１２０４、ＳＦ９６、及びＶｉｓｃａｓｉｌ（登録商標）という商品名で入手可能なものが挙げられる。
【０１８０】
一態様では、オルガノシリコーンは、環式シリコーンを含んでもよい。環式シリコーンは、式［（ＣＨ３）２ＳｉＯ］ｎ（式中、ｎは、約３〜約７、又は約５〜約６の範囲とすることができる整数である）のシクロメチコンを含むことができる。
【０１８１】
一態様では、オルガノシリコーンは、官能基化シロキサンポリマーを含んでもよい。官能化シロキサンポリマーは、アミノ、アミド、アルコキシ、ヒドロキシ、ポリエーテル、カルボキシ、ヒドリド、メルカプト、スルフェートホスフェート、及び／又は四級アンモニウム部分からなる群から選択される、１つ又は２つ以上の官能性部分を含んでもよい。これらの部分は、二価アルキレンラジカルを介してシロキサン主鎖に直接結合していてもよく（すなわち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、四級ＡＢｎシリコーン、アミノＡＢｎシリコーン、及びこれらの組み合わせからなる群から選択される物質が挙げられる。
【０１８２】
一態様では、官能化シロキサンポリマーは、「ジメチコンコポリオール」とも称される、シリコーンポリエーテルを含むことができる。一般に、シリコーンポリエーテルは、１つ又は２つ以上のポリオキシアルキレン鎖を有するポリジメチルシロキサン主鎖を含む。ポリオキシアルキレン部分は、ペンダント鎖として、又は末端ブロックとしてポリマーに組み込まれ得る。例示的な商業的に入手可能なシリコーンポリエーテルとしては、ＤＣ  １９０、ＤＣ  １９３、ＦＦ４００（いずれも、Ｄｏｗ  Ｃｏｒｎｉｎｇ（登録商標）Ｃｏｒｐｏｒａｔｉｏｎから入手可能である）、及び様々なＳｉｌｗｅｔ（登録商標）界面活性剤（Ｍｏｍｅｎｔｉｖｅ  Ｓｉｌｉｃｏｎｅｓから入手可能である）が挙げられる。
【０１８３】
別の態様では、官能化シロキサンポリマーは、アミノシリコーンを含んでもよい。別の態様では、アミノシリコーンは、式（ＸＸＶ）の構造を含み得る：
［Ｒ１Ｒ２Ｒ３ＳｉＯ１／２］ｎ［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＸＸＶ）
（式中、
ｉ．各Ｒ１、Ｒ２、Ｒ３、及びＲ４は、以下から独立して選択されてもよい；Ｈ、ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ；
ｉｉ．各Ｘは、以下から独立して選択され得る；２〜１２炭素原子、−（ＣＨ２）ｓ−（ｓは、約２〜約１０の整数である）を含む、二価アルキレンラジカル；
【０１８４】
【化２０】
0006532957.tif 000023
ｉｉｉ．各Ｚは、以下から独立して選択されてもよい；
【０１８５】
【化２１】
0006532957.tif 000024
式中、各Ｒ５はＨ、Ｃ１〜Ｃ２０アルキルから独立して選択されてもよく、Ａ−は、相容性アニオンであってもよい。一態様では、Ａ−は、ハロゲン化物であってもよく；
ｉｖ．ｋは、約３〜約２０、又は約５〜約１８超、又は更には約５〜約１０の整数であってもよく、
ｖ．ｍは、約１００〜約２，０００、又は約１５０〜約１，０００の整数であってもよく、
ｖｉ．ｎは、ｎ＝ｊ＋２になるように、約２〜約１０若しくは約２〜約６の整数、又は２であってもよく、
ｖｉｉ．ｊは、０〜約１０、若しくは０〜約４の整数、又は０であってもよい。
【０１８６】
一態様では、Ｒ１は、−ＯＨを構成してもよい。この態様では、有機シリコーンは、アミドメチコンである。例示的な市販のアミノシリコーンとしては、Ｄｏｗ  Ｃｏｒｎｉｎｇ（登録商標）Ｃｏｒｐｏｒａｔｉｏｎから入手可能なＤＣ  ８８２２、２−８１７７、及びＤＣ−９４９、並びにＳｈｉｎ−Ｅｔｓｕ  Ｓｉｌｉｃｏｎｅｓ，Ａｋｒｏｎ，ＯＨから入手可能なＫＦ−８７３が挙げられる。
【０１８７】
一態様では、シリコーンは、次の式を有するランダムである又は分布にむらがある（blocky）有機シリコーンポリマーから選択されてよく、
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり；一態様では、ｊは、０〜約４８の整数であり；一態様では、ｊは、０であり；
ｋは、０〜約２００の整数であり、一態様では、ｋは、０〜約５０の整数であり、ｋ＝０であるとき、Ｒ１、Ｒ２、又はＲ３のうちの少なくとも１つは、−Ｘ−Ｚであり；
ｍは、４〜約５，０００の整数であり；一態様では、ｍは、約１０〜約４，０００の整数であり；別の態様では、ｍは、約５０〜約２，０００の整数であり；
Ｒ１、Ｒ２及びＲ３は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から各々独立して選択され；
各Ｒ４は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から独立して選択され；
アルキルシロキサンポリマー中の各Ｘは、２〜１２個の炭素原子を含む置換又は非置換二価アルキレンラジカルを含み、一態様では、各二価アルキレンラジカルは、−（ＣＨ２）ｓ−からなる群から独立して選択され、ｓは約２〜約８、約２〜約４の整数であり；一態様において、アルキルシロキサンポリマー中の各Ｘは、以下のものからなる群から選択される置換二価アルキレンラジカルを含み：
【０１８８】
【化２２】
0006532957.tif 000025
各Ｚは、
【０１８９】
【化２３】
0006532957.tif 000026
からなる群から独立して選択され、
ただし、Ｚが第四級アンモニウム化合物である場合、Ｑはアミド、イミン、又は尿素部分ではあり得ず、
Ｚに関し、Ａｎ−は、好適な電荷平衡アニオンである。一態様において、Ａｎ−は、Ｃｌ−、Ｂｒ−、Ｉ−、メチルスルフェート、トルエンスルホネート、カルボキシレート、及びホスフェートからなる群から選択され；オルガノシリコーン中の少なくとも１つのＱは、以下のものから独立して選択され：
【０１９０】
【化２４】
0006532957.tif 000027
オルガノシリコーン中の更なる各Ｑは、以下のものから独立して選択され：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、
【０１９１】
【化２５】
0006532957.tif 000028
式中、各Ｒ５は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシ残基からなる群から独立して選択され；
各Ｒ６は、独立して、Ｈ、Ｃ１〜Ｃ１８アルキルから選択され；
各Ｌは、独立して−Ｃ（Ｏ）−Ｒ７又はＲ７から選択され；
ｗは、０〜約５００の整数であり、一態様では、ｗは、１〜約２００の整数であり；一態様では、ｗは、約１〜約５０の整数であり；
各Ｒ７は、以下のものからなる群から独立して選択され：Ｈ、Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシ残基；
各Ｔは、Ｈ、及び
【０１９２】
【化２６】
0006532957.tif 000029
から独立して選択され；
式中、オルガノシリコーンの各ｖは、１〜約１０の整数であり、一態様では、ｖは、１〜約５の整数であり、オルガノシリコーンの各Ｑのすべての添え字ｖの合計は、１〜約３０、又は１〜約２０、又は更には１〜約１０の整数である。
【０１９３】
一態様では、オルガノシリコーンは、アミンＡＢｎシリコーン及び四級ＡＢｎシリコーンを含んでもよい。このようなオルガノシリコーンは、一般に、ジアミンをエポキシドと反応させることによって生成される。これらは、Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（すべてＭｏｍｅｎｔｉｖｅ  Ｓｉｌｉｃｏｎｅｓより）の商品名で市販されている。
【０１９４】
付着助剤−一態様では、布地処理用組成物は、約０．０１％〜約１０％、約０．０５〜約５％、又は約０．１５〜約３％の付着助剤を含んでもよい。
【０１９５】
一態様では、付着助剤は、陽イオン性又は両性ポリマーであってよい。一態様では、付着助剤は、陽イオンン性ポリマーであってもよい。一般に、陽イオン性ポリマー及びその製造方法は、文献において公知である。一態様では、陽イオン性ポリマーは、組成物の意図する用途のｐＨにて、約０．００５〜約２３、約０．０１〜約１２、又は約０．１〜約７ミリ当量／ｇの陽イオン電荷密度を有してもよい。電荷密度が組成物のｐＨに依存するアミン含有ポリマーの場合、電荷密度は、製品の目的の用途のｐＨで測定される。このようなｐＨは、一般的に、約２〜約１１、より一般的には約２．５〜約９．５の範囲である。電荷密度は、繰り返し単位あたりの正味電荷数を、繰り返し単位の分子量で除算することにより計算される。正電荷は、ポリマーの主鎖上及び／又はポリマーの側鎖上に位置してもよい。
【０１９６】
好適な陽イオン性ポリマーの１つの群として、好適な反応開始剤又は触媒を使用して、エチレン系不飽和モノマーの重合により製造されるものが挙げられる。好適なポリマーは、陽イオン性又は両性多糖類、ポリエチレンイミン及びその誘導体、並びにＮ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ’’，Ｎ’’−ヘプタメチル−Ｎ’’−３−（１−オキソ−２−メチル−２−プロペニル）アミノプロピル−９−オキソ−８−アゾ−デカン−１，４，１０−トリアンモニウムトリクロリド、ビニルアミン及びその誘導体、アリルアミン及びその誘導体、ビニルイミダゾール、四級化ビニルイミダゾール及びジアリルジアルキルアンモニウムクロリド及びこれらの組み合わせからなる群から選択される１つ又は２つ以上の陽イオン性モノマー、及び任意にアクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及び誘導体、アクリル酸、メタクリル酸、マレイン酸、ビニルスルホン酸、スチレンスルホン酸、アクリルアミドプロピルメタンスルホン酸（ＡＭＰＳ）及びこれらの塩からなる群から選択される第２のモノマーの重合により作製される合成ポリマーからなる群から選択することができる。ポリマーは任意に、分岐モノマー及び架橋モノマーを使用することにより、分岐状であるか、又は架橋され得る。分岐モノマー及び架橋モノマーとしては、エチレン、グリコールジアクリレート、ジビニルベンゼン、及びブタジエンが挙げられる。本明細書において有用である好適なポリエチレンイニンは、ＢＡＳＦ，ＡＧ，Ｌｕｇｗｉｇｓｃｈａｅｆｅｎ，Ｇｅｒｍａｎｙにより商品名Ｌｕｐａｓｏｌ（登録商標）として販売されている。
【０１９７】
別の態様では、処理組成物は、ポリマーが正味の正電荷を有する限り、両性付着助剤ポリマーを含んでもよい。ポリマーは、約０．０５〜約１８ミリ当量／ｇの陽イオン電荷密度を有してもよい。
【０１９８】
別の態様では、付着助剤は、陽イオン性多糖類、ポリエチレンイミン及びその誘導体、ポリ（アクリルアミド−コ−ジアリルジメチルアンモニウムクロリド）、ポリ（アクリルアミド−メタクリルアミドプロピルトリメチルアンモニウムクロリド）、ポリ（アクリルアミド−コ−Ｎ，Ｎ−ジメチルアミノエチルアクリレート）及びその四級化誘導体、ポリ（アクリルアミド−コ−Ｎ，Ｎ−ジメチルアミノエチルメタクリレート）及びその四級化誘導体、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチルアンモニウムクロリド）、ポリ（アクリルアミド−コ−ジアリルジメチルアンモニウムクロリド−コ−アクリル酸）、ポリ（アクリルアミド−メタクリルアミドプロピルトリメチルアンモニウムクロリド−コ−アクリル酸）、ポリ（ジアリルジメチルアンモニウムクロリド）、ポリ（ビニルピロリドン−コ−ジメチルアミノエチルメタクリレート）、ポリ（エチルメタクリレート−コ−四級化ジメチルアミノエチルメタクリレート）、ポリ（エチルメタクリレート−コ−オレイルメタクリレート−コ−ジエチルアミノエチルメタクリレート）、ポリ（ジアリルジメチルアンモニウムクロリド−コ−アクリル酸）、ポリ（ビニルピロリドン−コ−四級化ビニルイミダゾール）及びポリ（アクリルアミド−コ−メタクリルアミドプロピル−ペンタメチル−１，３−プロピレン−２−オール−アンモニウムジクロリド）からなる群から選択することができ、好適な付着助剤としては、化粧品成分の国際命名法により命名したときポリクオタニウム−１、ポリクオタニウム−５、ポリクオタニウム−６、ポリクオタニウム−７、ポリクオタニウム−８、ポリクオタニウム−１１、ポリクオタニウム−１４、ポリクオタニウム−２２、ポリクオタニウム−２８、ポリクオタニウム−３０、ポリクオタニウム−３２、及びポリクオタニウム−３３が挙げられる。
【０１９９】
一態様では、付着助剤は、ポリエチレンイミン又はポリエチレンイミン誘導体を含んでもよい。別の態様では、付着助剤は、陽イオン性アクリルをベースとするポリマーを含んでもよい。更なる態様では、付着助剤は、陽イオン性ポリアクリルアミドを含んでもよい。別の態様では、付着助剤は、ポリアクリルアミド及びポリメタクリルアミドプロピルトリメチルアンモニウムカチオンを含むポリマーを含んでもよい。別の態様では、付着助剤は、ポリ（アクリルアミド−Ｎ−ジメチルアミノエチルアクリレート）及びその四級化誘導体を含んでもよい。この態様では、付着助剤は、ＢＴＣ  Ｓｐｅｃｉａｌｔｙ  Ｃｈｅｍｉｃａｌｓ，ａ  ＢＡＳＦ  Ｇｒｏｕｐ（Ｆｌｏｒｈａｍ  Ｐａｒｋ，Ｎ．Ｊ．）から入手可能な、商品名Ｓｅｄｉｐｕｒ（登録商標）として販売されているものであってもよい。更なる態様では、付着助剤は、ポリ（アクリルアミド−コ−メタクリルアミドプロピルトリメチルアンモニウムクロリド）を含んでもよい。別の態様では、付着助剤は、Ｃｉｂａ  Ｓｐｅｃｉａｌｔｙ  Ｃｈｅｍｉｃａｌｓ，ａ  ＢＡＳＦ  ｇｒｏｕｐ（Ｆｌｏｒｈａｍ  Ｐａｒｋ，Ｎ．Ｊ．）から入手可能な商品名Ｒｈｅｏｖｉｓ（登録商標）ＣＤＥとして販売されているものなどの非アクリルアミド系ポリマーを含んでもよい。
【０２００】
別の態様では、付着助剤は、陽イオン性又は両性多糖類からなる群から選択することができる。一態様では、付着助剤を、陽イオン性及び両性セルロースエーテル、陽イオン性又は両性ガラクトマンナン、陽イオン性グアーガム、陽イオン性又は両性デンプン、及びこれらの組み合わせからなる群から選択してもよい。
【０２０１】
好適な陽イオン性ポリマーの別の群としては、アミン及びオリゴアミンとエピクロロヒドリンとの反応生成物であるアルキルアミン−エピクロロヒドリンポリマーを挙げることができる。例としては、Ｃｌａｒｉａｎｔ（Ｂａｓｌｅ，Ｓｗｉｔｚｅｒｌａｎｄ）から商品名Ｃａｒｔａｆｉｘ（登録商標）ＣＢ及びＣａｒｔａｆｉｘ（登録商標）ＴＳＦとして入手可能な、ジメチルアミン−エピクロロヒドリン−エチレンジアミンが挙げられる。
【０２０２】
好適な合成陽イオン性ポリマーの別の群としては、ポリアルキレンポリアミンとポリカルボン酸とのポリアミドアミン−エピクロロヒドリン（ＰＡＥ）樹脂を挙げることができる。最も一般的なＰＡＥ樹脂は、ジエチレントリアミンとアジピン酸との縮合と、次いで、その後のエピクロロヒドリンとの反応による生成物である。これらは、商品名Ｋｙｍｅｎｅ（商標）でＨｅｒｃｕｌｅｓ  Ｉｎｃ．（Ｗｉｌｍｉｎｇｔｏｎ，ＤＥ）から、又は商品名Ｌｕｒｅｓｉｎ（商標）でＢＡＳＦ  ＡＧ（Ｌｕｄｗｉｇｓｈａｆｅｎ，Ｇｅｒｍａｎｙ）から入手可能である。
【０２０３】
陽イオン性ポリマーは、全体のポリマーが周囲条件下で中性になるように電荷中和陰イオンを含み得る。好適な対イオンの非限定的な例としては（使用中に生じる陰イオン性種に加えて）、塩化物イオン、臭化物イオン、硫酸イオン、硫酸メチルイオン、硫酸イオン、硫酸メチルイオン、炭酸イオン、重炭酸イオン、ギ酸イオン、酢酸イオン、クエン酸イオン、硝酸イオン、及びこれらの混合物が挙げられる。
【０２０４】
ポリマーの重量平均分子量は、ＲＩ検出を用いてポリエチレンオキシド標準物質に対してサイズ排除クロマトグラフィーにより測定したとき、約５００〜約５，０００，０００、又は約１，０００〜約２，０００，０００、又は約２，５００〜約１，５００，０００ダルトンであってもよい。一態様では、陽イオン性ポリマーのＭＷは、約５００〜約３７，５００ダルトンであってもよい。
【０２０５】
その他の補助成分
多種多様の他の成分が本明細書の洗浄組成物に使用されてよく、他の活性成分、担体、ヒドロトロープ、加工助材、染料若しくは顔料、液体製剤用の溶媒、及び固形若しくは他の液体充填剤、エリスロシン、コロイダルシリカ、ワックス、プロバイオティクス、サーファクチン、アミノセルロースポリマー、リシノール酸亜鉛、香料マイクロカプセル、ラムノリピド、ソホロリピド、グリコペプチド、メチルエステルスルホネート、メチルエステルエトキシレート、スルホン化エストリド、分解性界面活性剤、バイオポリマー、シリコーン、変性シリコーン、アミノシリコーン、沈着助剤、イナゴマメゴム、陽イオン性ヒドロキシエチルセルロースポリマー、カチオン性グアー、ヒドロトロープ（特に、クメンスルホン酸塩、トルエンスルホン酸塩、キシレンスルホン酸塩、及びナファレン塩）、抗酸化剤、ＢＨＴ、ＰＶＡ粒子カプセル化染料若しくは香料、真珠光沢剤、発泡剤、色変化系、シリコーンポリウレタン、乳白剤、錠剤崩壊剤、バイオマス充填剤、速乾性シリコーン、ジステアリン酸グリコール、ヒドロキシエチルセルロースポリマー、疎水性修飾セルロースポリマー若しくはヒドロキシエチルセルロースポリマー、デンプン香料カプセル化剤、乳化油、ビスフェノール抗酸化剤、微細繊維状セルロース構造剤、副香料（properfumes）、スチレン／アクリレートポリマー、トリアジン、石鹸、スーパーオキシドディスムターゼ、ベンゾフェノンプロテアーゼ阻害剤、官能化ＴｉＯ２、ジブチルリン酸塩、シリカ香料カプセル、並びに他の補助剤成分を含む。
【０２０６】
使用方法
本開示は更に、本明細書で開示される布地ケア組成物を用いる方法に関する。一態様においては、本開示は、本開示のオルガノシロキサンポリマーと、少なくとも１つの界面活性剤とを含む布地ケア組成物に、布地を接触させる工程を接触させることを含む、布地に利益を提供する方法に関する。一態様では、布地に対する利益は、フィット保持利益であってもよい。他の態様では、利益としては、抗しわ、柔軟化、色ケア、色保護、抗移染、ピリング又はけば立ち制御、抗静電気、及び形状維持などのその他のケア利益が挙げられる。
【０２０７】
更なる態様では、方法は、すすぎ液中で布地ケア組成物と布地を接触させることに関連する。その上更なる態様では、方法は、洗浄液中で布地ケア組成物と布地を接触させることに関連する。方法は更に、スプレー又は浸漬適用を用いて布地ケア組成物と布地とを接触させることに関し、布地は、布地ケア組成物と接触させる前に濡れていてもあるいは乾いていてもよい。方法は更に、乾燥工程前、乾燥工程中、あるいは乾燥工程後に布地と布地ケア組成物とを接触させることに関連する。布地は、布地ケア組成物で処理する前及び／又は後に、任意に洗浄及び／又は乾燥させてもよい。乾燥は、能動的又は受動的乾燥であってもよい。
【実施例】
【０２０８】
以下の非限定例は、例示的なものである。特に指定のない限り、百分率は、重量によるものである。特定の態様が例示され記載される一方、本発明の趣旨及び範囲から外れることなく、他の変更及び修正をなすことができる。したがって、本発明の範囲内に含まれるそのようなすべての変更及び修正は、添付の特許請求の範囲にて網羅することを意図したものである。
【０２０９】
オルガノシロキサンポリマーの調製
（実施例１）
１つのカルビノール末端処理ポリジメチルシロキサン等価物、１１０〜１４０ｍｍ２／ｓ（１１０〜１４０ｃＳｔ）、４５００〜５５００ＭＷ  Ｇｅｌｅｓｔ（Ｍｏｒｒｉｓｖｉｌｌｅ，ＰＡ，ＵＳＡ）よりＤＭＳ−Ｃ２１として入手可能）は、２つのジエチルアミン等価物及び２つのトリエチルアミン等価物と完全に混合させる。この混合物を、周囲条件で、１０分かけて２つのヘキサメチレンジイソシアネート等価物に添加させて、引き続き混合する。均質混合物を、１２０℃で２時間保持し、混濁液体を得る。
【０２１０】
（実施例２）
１つのアミノプロピル末端処理ポリジメチルシロキサンの等価物（４５０ｍｍ２／ｓ（４５０ｃＳｔ）、１０，０００〜１２，０００ＭＷ（ＫＦ−８００８としてＳｈｉｎ−Ｅｔｓｕ  Ｓｉｌｉｃｏｎｅｓ  ｏｆ  Ａｍｅｒｉｃａ（Ａｋｒｏｎ，ＯＨ，ＵＳＡより入手可能））は、２つのジエチルアミン等価物と完全に混合させる。この混合物を、周囲条件で、１０分かけて２つのヘキサメチレンジイソシアネート等価物に添加させて、引き続き混合する。均質混合物を、１２０℃で２時間保持し、透明な、粘性液体を得る。
【０２１１】
（実施例３）
１つのアミノプロピル末端処理ポリジメチルシロキサンの等価物（１００〜１２０ｍｍ２／ｓ（１００〜１２０ｃＳｔ）、５０００ＭＷ）（ＤＭＳ−Ａ２１としてＧｅｌｅｓｔ（Ｍｏｒｒｉｓｖｉｌｌｅ，ＰＡ，ＵＳＡ）より入手可能）は、２つのビス（２−エチルヘキシル）アミンの等価物と完全に混合させる。この混合物を、周囲条件で、１０分かけて２つのヘキサメチレンジイソシアネート等価物に添加させて、引き続き混合する。均質混合物を、１２０℃で２時間保持し、粘性液体を得る。
【０２１２】
（実施例４）
１つのアミノプロピル末端処理ポリジメチルシロキサン等価物（１００〜１２０ｍｍ２／ｓ（１００〜１２０ｃＳｔ）、５０００ＭＷ）（ＤＭＳ−Ａ２１としてＧｅｌｅｓｔ（Ｍｏｒｒｉｓｖｉｌｌｅ，ＰＡ，ＵＳＡ）から入手可能）は、２つのＩｓａｌｃｈｅｍ  １４５（Ｓａｓｏｌ  Ｏｌｅｆｉｎｓ  ＆  Ｓｕｒｆａｃｔａｎｔｓ  ＧｍｂＨ（Ｈａｍｂｕｒｇ，Ｇｅｒｍａｎｙ）から入手可能）等価物と完全に混合させる。この混合物を、周囲条件で、１０分かけて２つのヘキサメチレンジイソシアネート等価物に添加させて、引き続き混合する。均質混合物を、１２０℃で２時間保持し、粘性液体を得る。
【０２１３】
（実施例５）
１つのアミノプロピル末端処理ポリジメチルシロキサンの等価物（１００〜１２０ｍｍ２／ｓ（１００〜１２０ｃＳｔ）、５０００ＭＷ）（ＤＭＳ−Ａ２１としてＧｅｌｅｓｔ（Ｍｏｒｒｉｓｖｉｌｌｅ，ＰＡ，ＵＳＡ）より入手可能）は、２つのジエチルアミン等価物と完全に混合させる。この混合物を、周囲条件で、１０分かけて２つのイソホロンジイソシアネート等価物に添加させて、引き続き混合する。均質混合物を、１２０℃で２時間保持し、粘性液体を得る。
【０２１４】
（実施例６）
２つのアミノプロピル末端処理ポリジメチルシロキサンの等価物（１００〜１２０ｍｍ２／ｓ（１００〜１２０ｃＳｔ）、５０００ＭＷ）（ＤＭＳ−Ａ２１としてＧｅｌｅｓｔ（Ｍｏｒｒｉｓｖｉｌｌｅ，ＰＡ，ＵＳＡ）より入手可能）は、２つのビス（２−エチルヘキシル）アミン等価物と完全に混合させる。この混合物を、周囲条件で、１０分かけて４つのヘキサメチレンジイソシアネート等価物に添加させて、引き続き混合する。均質混合物を、１２０℃で２時間保持し、粘性液体を得る。
【０２１５】
（実施例７）
１つのカルビノール末端処理ポリジメチルシロキサン等価物、１１０〜１１４ｍｍ２／ｓ（１１０〜１４０ｃＳｔ）、４５００〜５５００ＭＷ  Ｇｅｌｅｓｔ（Ｍｏｒｒｉｓｖｉｌｌｅ，ＰＡ，ＵＳＡ）よりＤＭＳ−Ｃ２１として入手可能）は、２つのヘキサメチレンジイソシアネート等価物及び２つのトリエチルアミン等価物と完全に混合させ、１２０℃で２時間加熱させる。周囲温度まで冷却後、この混合物を、周囲条件で１０分かけて２つの水等価物に添加させて、引き続き混合する。均質混合物を、発泡剤と共に１２０℃で２時間保持し、柔らかく、ふわふわした白色の半固体を得る。
【０２１６】
表ＩＩ．実施例８〜１３：例示的なすすぎ時添加型布地ケア組成物
すすぎ時添加型布地ケア組成物は、以下に記載の成分を共に混合することにより、実施例７〜１２に記載されるように調製され得る。
【０２１７】
【表２】
0006532957.tif 000030
【０２１８】
表ＩＩＩ．実施例１４〜１９：例示的なすすぎ時添加型布地ケア組成物
すすぎ時添加型布地ケア組成物は、以下に記載の成分を共に混合することにより、実施例１４〜１９に記載されるように調製され得る。
【０２１９】
【表３】
0006532957.tif 000031
【０２２０】
表ＩＶ．実施例２０〜２５：例示的な液体洗剤型布地ケア組成物：液体洗剤型布地ケア組成物は、列挙された成分を記載の比率で共に混合することにより調製され得る。
【０２２１】
【表４】
0006532957.tif 000032
【０２２２】
表Ｖ．実施例２６〜３１：例示的な液体洗剤型布地ケア組成物：液体洗剤型布地ケア組成物は、列挙された成分を記載の比率で共に混合することにより調製され得る。
【０２２３】
【表５】
0006532957.tif 000033
１  Ｄｅｇｕｓｓａ  Ｃｏｒｐｏｒａｔｉｏｎ（Ｈｏｐｅｗｅｌｌ，ＶＡ）から入手可能。
２  Ｓｉｇｍａ  Ａｌｄｒｉｃｈ（Ｍｉｌｗａｕｋｅｅ，ＷＩ）から入手可能。
３  Ｎａｌｃｏ  Ｃｈｅｍｉｃａｌｓ（Ｎａｐｅｒｖｉｌｌｅ，ＩＬ）から入手可能。
４  Ｓｈｅｌｌ  Ｃｈｅｍｉｃａｌｓ（Ｈｏｕｓｔｏｎ，ＴＸ）から入手可能。
５  Ｄｅｇｕｓｓａ  Ｃｏｒｐｏｒａｔｉｏｎ（Ｈｏｐｅｗｅｌｌ，ＶＡ）から入手可能。
６  Ｓｈｅｌｌ  Ｃｈｅｍｉｃａｌｓ（Ｈｏｕｓｔｏｎ，ＴＸ）から入手可能。
７  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
８  Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
９  Ｐｒｏｃｔｅｒ  ＆  Ｇａｍｂｌｅから入手可能。
１０  Ｈｕｎｔｓｍａｎ  Ｃｈｅｍｉｃａｌｓ（Ｓａｌｔ  Ｌａｋｅ  Ｃｉｔｙ，ＵＴ）から入手可能。
１１  商品名ＬＵＴＥＮＳＩＴ（登録商標）でＢＡＳＦ（Ｌｕｄｗｉｇｓｈａｆｅｎ，Ｇｅｒｍａｎｙ）から入手可能な及び国際公開第０１／０５８７４号に記載のキレート剤。
１２  Ｄｏｗ  Ｃｈｅｍｉｃａｌｓ（Ｅｄｇｅｗａｔｅｒ，ＮＪ）から入手可能。
１３  Ｅｋｈａｒｄ  Ａｍｅｒｉｃａ（Ｌｏｕｉｓｖｉｌｌｅ，ＫＹ）から入手可能。
１４  Ｓｔｅｐａｎ  Ｃｈｅｍｉｃａｌｓ（Ｎｏｒｔｈｆｉｅｌｄ，ＩＬ）から入手可能。
【０２２４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【０２２５】
あらゆる相互参照又は関連する特許又は出願を含む、本明細書に引用されるすべての文献は、明確に除外ないしは別の方法で限定されない限り、参照によってその全容を本明細書に援用するものとする。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照により組み込まれた文書内の同じ用語の任意の意味又は定義と競合する場合、本文書におけるその用語に与えられた意味又は定義が適用されるものとする。
【０２２６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのようなすべての変更及び修正は、添付の特許請求の範囲にて網羅することを意図したものである。